(57)【特許請求の範囲】
【請求項１】
複数のネイルデザインを、複数のファッション関連項目に対する各ネイルデザインの相性度を示す評価数値データと対応付けて記憶している第１の記憶手段と、
前記複数のファッション関連項目を表示手段に表示させる第１の表示制御手段と、
前記表示手段に表示された前記複数のファッション関連項目の中から１又は複数のファッション関連項目を指定する項目指定手段と、
前記第１の記憶手段に記憶されている前記各ネイルデザインについて、前記項目指定手段によって指定されたファッション関連項目毎の前記評価数値データを読み出して加算し、前記各ネイルデザイン毎の評価結果を算出する評価算出手段と、
を備えていることを特徴とするネイルデザイン表示制御装置。
【請求項２】
前記評価算出手段により算出された評価結果を記憶する第２の記憶手段と、
前記第２の記憶手段に記憶された前記各ネイルデザイン毎の評価結果を比較して、前記各ネイルデザインの順位付けを行う順位決定手段と、
前記順位決定手段により行われた順位付けにしたがって、順位の高い順に前記ネイルデザインを少なくとも１つ前記表示手段に表示させる第２の表示制御手段と、
を備え、
前記複数のファッション関連項目は、少なくともファッションアイテムを示す複数のファッションアイテム項目及びこれらのファッションアイテムの色を含む複数のアイテム関連項目を含んでいることを特徴とする請求項１に記載のネイルデザイン表示制御装置。
【請求項３】
前記第１の記憶手段は、前記各ネイルデザイン毎にこれと対応するコメントデータを記憶しており、
前記第２の表示制御手段は、前記ネイルデザインを前記表示手段に表示させる際に、前記第１の記憶手段に記憶されている前記各ネイルデザインに対応付けられた前記コメントデータを前記ネイルデザインとともに表示させることを特徴とする請求項２に記載のネイルデザイン表示制御装置。
【請求項４】
複数のネイルデザインを、複数のファッション関連項目に対する各ネイルデザインの相性度を示す評価数値データと対応付けて記憶している第１の記憶手段を備え、前記各ネイルデザインの中からいずれかのネイルデザインを選んで表示手段に表示させるネイルデザイン表示制御装置の表示制御方法であって、
複数のファッション関連項目を表示手段に表示させる第１の表示制御ステップと、
前記第１の表示制御ステップにおいて前記表示手段に表示された前記複数のファッション関連項目の中から１又は複数のファッション関連項目が指定されると、前記第１の記憶手段に記憶されている前記各ネイルデザインについて、この指定されたファッション関連項目毎の前記評価数値データを読み出して加算し、前記各ネイルデザイン毎の評価結果を算出する評価算出ステップと、
を含んでいることを特徴とする表示制御方法。
【請求項５】
前記評価算出ステップにおいて算出された評価結果を記憶する評価結果記憶ステップと、
前記評価結果記憶ステップにおいて記憶された前記各ネイルデザイン毎の評価結果を比較して、前記各ネイルデザインの順位付けを行う順位決定ステップと、
前記順位決定ステップにおいて行われた順位付けにしたがって、順位の高い順に前記ネイルデザインを少なくとも１つ前記表示手段に表示させる第２の表示制御ステップと、
を含んでいることを特徴とする請求項４に記載の表示制御方法。
【発明の詳細な説明】
【技術分野】
【０００１】
本発明は、ネイルデザイン表示制御装置及び表示制御方法に関するものである。
【背景技術】
【０００２】
従来、印刷しようとする爪部の指を、装置本体に設けた指載置台上に位置決めし、この位置決めされた指の爪部に、各種の色や絵柄等からなるネイルデザインを印刷するネイルプリント装置が提案されている（例えば、特許文献１参照）。
【０００３】
また、爪部上に直接印刷するのではなく、爪部に貼り付けて使用するシールにネイルデザイン等を印刷する装置も提案されている。このような装置によってネイルデザインが印刷されたシールを用いれば、誰でも手軽にネイルアートを楽しむことができる。
【０００４】
こうした装置では、例えば複数のネイルデザインを表示手段の表示画面上に表示させて、ユーザが印刷したいネイルデザインを表示画面上から選択し、所望のネイルデザインを印刷することができるようになっている。
【先行技術文献】
【特許文献】
【０００５】
【特許文献１】特表２００３−５３４０８３号公報
【発明の概要】
【発明が解決しようとする課題】
【０００６】
しかしながら、本来ネイルはファッションの一部であり、服装等とのコーディネートが重要となるところ、複数のネイルデザインの中からどれが自分の服装等に合うかをユーザが判断し、服装等と相性のよいネイルデザインを適切に選択することは困難である。このため、せっかく爪部に印刷したネイルデザインが当日の服装等に合わないということがある。
【０００７】
この点、近年、ネイルの施術を行うネイルサロンでは、ネイルデザインをユーザの爪部に施す「ネイリスト」とは別に、ユーザ毎の服装や好み、ネイルデザインをして外出する季節や場所等のシチュエーション等を広く考慮して、ユーザにとって最適なネイルデザインを選択し、提案してくれる専門的な相談受付け、案内スタッフとして、「ネイルコンシェルジュ」を配置することが試みられている。
【０００８】
このような「ネイルコンシェルジュ」がいるネイルサロンでは、ネイルの知識に乏しいユーザであっても、ネイルデザインを爪部に施して外出する際の服装やシチュエーション等を「ネイルコンシェルジュ」に伝えるだけで希望に沿ったネイルデザインの提案を受けることができ、失敗のないネイルデザイン選びをすることができる。
【０００９】
しかし、自宅等でネイルデザインの印刷を行うネイルプリント装置等の場合には、このような専門スタッフに相談することができない。
このため、ネイルプリント装置において印刷可能なネイルデザインのバリエーションを増やしても、ユーザがその中から適切にネイルデザインを選択することができず、服装等と相性の悪いネイルデザインを選んでしまったり、いつも同じネイルデザインしか選ばなくなる可能性が高く、バリエーション豊かなおしゃれを気軽に楽しむことができないという問題がある。
【００１０】
本発明は以上のような事情に鑑みてなされたものであり、簡単な操作を行うだけで、外出する際等の服装等に合ったネイルデザインを、確実かつ迅速にユーザに提案することができるネイルデザイン表示制御装置及び表示制御方法を提供することを目的とするものである。
【課題を解決するための手段】
【００１１】
前記課題を解決するために、本発明に係るネイルデザイン表示制御装置は、
複数のネイルデザインを、複数のファッション関連項目に対する各ネイルデザインの相性度を示す評価数値データと対応付けて記憶している第１の記憶手段と、
前記複数のファッション関連項目を表示手段に表示させる第１の表示制御手段と、
前記表示手段に表示された前記複数のファッション関連項目の中から１又は複数のファッション関連項目を指定する項目指定手段と、
前記第１の記憶手段に記憶されている前記各ネイルデザインについて、前記項目指定手段によって指定されたファッション関連項目毎の前記評価数値データを読み出して加算し、前記各ネイルデザイン毎の評価結果を算出する評価算出手段と、
を備えていることを特徴としている。
【００１２】
また、本発明の別の側面である表示制御方法は、
複数のネイルデザインを、複数のファッション関連項目に対する各ネイルデザインの相性度を示す評価数値データと対応付けて記憶している第１の記憶手段を備え、前記各ネイルデザインの中からいずれかのネイルデザインを選んで表示手段に表示させるネイルデザイン表示制御装置の表示制御方法であって、
複数のファッション関連項目を表示手段に表示させる第１の表示制御ステップと、
前記第１の表示制御ステップにおいて前記表示手段に表示された前記複数のファッション関連項目の中から１又は複数のファッション関連項目が指定されると、前記第１の記憶手段に記憶されている前記各ネイルデザインについて、この指定されたファッション関連項目毎の前記評価数値データを読み出して加算し、前記各ネイルデザイン毎の評価結果を算出する評価算出ステップと、
を含んでいることを特徴としている。
【発明の効果】
【００１３】
本発明によれば、表示手段に表示された複数のファッション関連項目の中から任意のファッション関連項目を指定するだけで、複数のネイルデザインの中から指定されたファッション関連項目と相性のよいネイルデザインを抽出し、表示手段に表示させるようになっている。
このため、当該ネイルデザインを施して外出する際の服装等のファッションにどのようなネイルデザインが似合うのかをユーザが判断することができない場合でも、候補となるネイルデザインをユーザに提示することができ、服装等にふさわしいネイルデザインをユーザが表示手段上で容易に確認することができるとの効果を奏する。
【図面の簡単な説明】
【００１４】
【図１】本発明に係るネイルプリント装置の一実施形態を概念的に示した斜視図で、蓋体を開いた状態を示している。
【図２】図１のネイルプリント装置の装置本体を概念的に示した斜視図である。
【図３】図１のネイルプリント装置の要部である印刷指固定手段を示した断面図で、印刷指として人差し指から小指を印刷指挿入部に挿入した際の固定態様を示している。
【図４】図１のネイルプリント装置の正面側の断面図である。
【図５】図１のネイルプリント装置の側断面図である。
【図６】本実施形態に係るネイルプリント装置の制御構成を示した要部ブロック図である。
【図７】図６のＲＯＭのネイルコンシェルジュ用の評価用データ部の構成例を示した図である。
【図８】図６のＲＡＭのネイルコンシェルジュ用の評価結果データ部の構成例を示した図である。
【図９】本実施形態におけるネイルデザイン選択処理の全体の流れを示すフローチャートである。
【図１０】本実施形態におけるネイルカタログモードによるネイルデザイン表示処理を示すフローチャートである。
【図１１】本実施形態におけるネイルカタログモードによるネイルデザイン表示処理を示すフローチャートである。
【図１２】本実施形態におけるネイルコンシェルジュモードによるネイルデザイン表示処理を示すフローチャートである。
【図１３】本実施形態におけるネイルコンシェルジュモードによるネイルデザイン表示処理を示すフローチャートである。
【図１４】本実施形態におけるネイルコンシェルジュモードによるネイルデザイン表示処理を示すフローチャートである。
【図１５】ネイルコンシェルジュモードによるネイルデザイン表示処理における評価算出処理を示すフローチャートである。
【図１６】本実施形態におけるモード選択画面の一例を示す図である。
【図１７】ネイルカタログモードにおける検索設定画面の一例を示す図である。
【図１８】ネイルカタログモードにおける検索結果画面の一例を示す図である。
【図１９】ネイルカタログモードにおけるデザイン選択画面の一例を示す図である。
【図２０】ネイルカタログモードにおけるデザイン確認画面の一例を示す図である。
【図２１】ネイルコンシェルジュモードにおける第１の項目設定画面の一例を示す図である。
【図２２】ネイルコンシェルジュモードにおける第２の項目設定画面の一例を示す図である。
【図２３】ネイルコンシェルジュモードにおける第３の項目設定画面の一例を示す図である。
【図２４】ネイルコンシェルジュモードにおける第４の項目設定画面の一例を示す図である。
【図２５】ネイルコンシェルジュモードにおける第５の項目設定画面の一例を示す図である。
【図２６】ネイルコンシェルジュモードにおける第６の項目設定画面の一例を示す図である。
【図２７】ネイルコンシェルジュモードにおける第７の項目設定画面の一例を示す図である。
【図２８】本実施形態における項目設定結果の一例を示す図である。
【図２９】ネイルコンシェルジュモードにおける評価結果画面の一例を示す図である。
【図３０】ネイルコンシェルジュモードにおける評価結果画面の一例を示す図である。
【図３１】ネイルコンシェルジュモードにおけるデザイン選択画面の一例を示す図である。
【図３２】ネイルコンシェルジュモードにおけるデザイン確認画面の一例を示す図である。
【発明を実施するための形態】
【００１５】
図１から図３２を参照しつつ、本発明に係るネイルデザイン表示制御装置の一実施形態について説明する。なお、本実施形態では、ネイルデザイン表示制御装置が、印刷部等を備え、選択されたネイルデザインをユーザの爪部に印刷することのできるネイルプリント装置である場合を例として説明するが、本発明を適用可能なネイルデザイン表示制御装置はこのようなネイルプリント装置に限定されない。
【００１６】
図１は、本実施形態におけるネイルプリント装置の外観を示す斜視図であり、図２は、ネイルプリント装置の内部構成を示す斜視図である。
図１に示すように、このネイルプリント装置１は、ケース本体２及び蓋体４を備えている。このケケース本体２及び蓋体４は、ケース本体２の上面後端部に設けたヒンジ３を介して、互いに連結されている。
上記ケース本体２は平面視で長円状に形成されている。このケース本体２には前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。
また、ケース本体２の天板２ｆには後述する操作部１２及び表示部１３が設置されている。
なお、ケース本体２及び蓋体４の形状、構成はここに例示したものに限定されない。
【００１７】
また、ケース本体２にはネイルプリント装置１の装置本体１０が収容されている。この装置本体１０は、図２に示す印刷指固定手段を構成している印刷指固定部２０、撮影手段を構成している撮影部３０、印刷手段を構成している印刷部４０及び制御手段を構成している制御手段５０（図１０参照）を備えている。これら印刷指固定部２０、撮影部３０、印刷部４０及び制御装置５０は機枠１１に設けられている。
なお、機枠１１は下部機枠１１ａ及び上部機枠１１ｂによって構成されている。そして、下部機枠１１ａは箱状に形成され、ケース本体２の内部下方に設置され、上部機枠１１ｂは下部機枠１１ａの上方で且つケース本体２の内部上方に設置されている。
【００１８】
印刷指固定部２０は、機枠１１の中の下部機枠１１ａに設けられている。この下部機枠１１ａに設けられた印刷指挿入部２０ａ、非印刷指挿入部２０ｂ及び掴み部２０ｃによって印刷指固定部２０が構成されている。
ここで、印刷指挿入部２０ａは、印刷しようとする爪部Ｔに対応する指（以下「印刷指」という。）Ｕ１を挿入するめための指挿入部である（図３参照）。
また、非印刷指挿入部２０ｂは、印刷指以外の指（以下「非印刷指」という。）Ｕ２を挿入するための指挿入部である（図３参照）。
また、掴み部２０ｃは、印刷指挿入部２０ａに挿入された印刷指Ｕ１と、非印刷指挿入部２０ｂに挿入された非印刷指Ｕ２とで挟持することが可能な部分である。本実施形態において、この掴み部２０ｃは印刷指挿入部２０ａと非印刷指挿入部２０ｂとを仕切る隔壁２１によって構成されている。
【００１９】
この掴み部２０ｃの上面は平坦な印刷指載置面を構成している。この掴み部２０ｃの指挿入側端部には膨出部２２が形成されている。この膨出部２２は、印刷指挿入部２０ａ及び非印刷指挿入部２０ｂに印刷指Ｕ１及び非印刷指Ｕ２を深く挿入した際に、印刷指Ｕ１及び非印刷指Ｕ２の付け根Ｕ３が当接する部分に形成されている。膨出部２２は、印刷指Ｕ１の腹全体が印刷指載置面に当接した状態で、印刷指Ｕ１と非印刷指Ｕ２とで掴み部２０ｃを強く挟持することができるように、指挿入方向の断面が、掴み部２０ｃの下面から下方に向けて膨出するように円形となっている。なお、膨出部２２の形状は、断面円形に限定されることなく、断面楕円形，多角形等の非円形であってもよい。
【００２０】
図３は、左手の親指以外の４本の指（人差し指、中指、薬指及び小指）が印刷指Ｕ１となる場合における印刷指Ｕ１の固定態様の一例を具体的に示したものである。
この場合、図３に示すように、ユーザが印刷指挿入部２０ａに挿入された印刷指Ｕ１と、非印刷指挿入部２０ｂに挿入された非印刷指Ｕ２とで掴み部２０ｃを挟持することにより、印刷指Ｕ１が掴み部２０ｃの上で固定される。
【００２１】
図１〜図３に示すように、本実施形態において、掴み部２０ｃの幅方向の中央部には、印刷指挿入部２０ａに挿入された印刷指Ｕ１である人差し指から小指までの４つの指と非印刷指挿入部２０ｂに挿入された非印刷指Ｕ２であるその他の指（すなわち、親指）との付け根Ｕ３を端部に突き当てることによって、人差し指から小指までの４つの指の位置決めを行うことが可能な第１の指位置決め部２０１が配置されている。
本実施形態において、第１の指位置決め部２０１の幅方向Ｘの長さ寸法は、印刷指挿入部２０ａに挿入される人差し指から小指までの４つの指の左右幅の寸法とほぼ同じか、これよりも多少大きい寸法となっている。
【００２２】
また、掴み部２０ｃには、第１の指位置決め部２０１の左右両側に、印刷指挿入部２０ａに挿入された印刷指Ｕ１である親指と非印刷指挿入部２０ｂに挿入された非印刷指Ｕ２であるその他の指（すなわち、人差し指から小指までの４つの指）との付け根Ｕ３を端部に突き当てることによって、印刷指挿入部２０ａに挿入された親指の位置決めを行うことが可能な第２の指位置決め部２０２が配置されている。
【００２３】
第２の指位置決め部２０２は、第１の指位置決め部２０１の端部よりもその端部が印刷指の挿入方向Ｙの奥側にずれた位置に配置されている。第２の指位置決め部２０２の端部を第１の指位置決め部２０１の端部に対してどの程度ずらすかは特に限定されないが、親指の爪部Ｔｂと他の４本の指の各爪部Ｔａの位置がほぼ横方向に並ぶ程度となることが好ましい。
この点、人間の手は親指が他の４本の指に比べて短く、掴み方や個人差はあるものの、親指と他の４本の指とでは、その長さに４０〜７５ｍｍの差がある。そこで、このような指の長さの差を考慮して、第２の指位置決め部２０２の端部は第１の指位置決め部２０１の端部よりも４０〜７５ｍｍ程度、印刷指Ｕ１の挿入方向Ｙの奥側にずれていることが好ましい。
本実施形態のように親指を位置決めする第２の指位置決め部２０２の端部を４０〜７５ｍｍ程度、第１の指位置決め部２０１の端部よりも印刷指の挿入方向Ｙの奥側にずらした場合には、親指Ｔｂ及び他の４本の指の各Ｔａの印刷指の挿入方向Ｙにおける位置がほぼ揃うため、撮影部３０の撮影可能領域及び印刷部４０の印刷可能領域を狭くすることができる。
【００２４】
また、図４は、本実施形態に係るネイルプリント装置１の正面側の断面図であり、図５は、ネイルプリント装置１の側断面図である。
図４及び図５に示すように、撮影部３０は、機枠１１の中の上部機枠１１ｂに設けられている。
すなわち、上部機枠１１ｂに設置された基板３１の中央部下面には、ドライバーを内蔵した２００万画素程度以上の画素を有するカメラ３２が設置されている。また、基板３１には、カメラ３２を囲むように白色ＬＥＤ等の照明灯３３が設置されている。撮影部３０は、このカメラ３２及び照明灯３３を備えて構成されている。
この撮影部３０は、照明灯３３によって印刷指Ｕ１を照明し、カメラ３２によってその印刷指Ｕ１を撮影し、指画像を取り込むためのものである。この撮影部３０は、後述する制御手段５０の制御部５１に接続され、該制御部５１によって制御されるようになっている。
【００２５】
また、印刷部４０は主に上部機枠１１ｂに設けられている。
すなわち、図２及び図４に示すように、上部機枠１１ｂの両側板には、２本のガイドロッド４１が平行に架設されている。このガイドロッド４１には、主キャリッジ４２が摺動自在に設置されている。また、図５に示すように、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。
本実施形態において、この印刷ヘッド４６は、インクを微滴化し、被印字媒体に対し直接に吹き付けて印刷を行うインクジェット方式の印刷ヘッドである。なお、印刷ヘッド４６の記録方式はインクジェット方式に限定されない。
【００２６】
主キャリッジ４２は動力伝達手段（図示せず）を介してモータ４３に連結され、モータ４３の正逆回転によって、ガイドロッド４１に沿って左右方向に移動ように構成されている。また、副キャリッジ４５は動力伝達手段（図示せず）を介してモータ４７に連結され、モータ４７の正逆回転によって、ガイドロッド４４に沿って前後方向に移動するように構成されている。本実施形態において、印刷ヘッド４６の可動範囲がネイルプリント装置１の印刷可能範囲であり、印刷指Ｕ１に対する印刷はこの印刷可能範囲内において行われる。
また、下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。
【００２７】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成されている。
この印刷部４０のモータ４３、印刷ヘッド４６、モータ４７は、後述する制御装置５０の制御部５１（印刷制御部５１４）に接続され、該制御部５１（印刷制御部５１４）によって制御されるようになっている。
【００２８】
操作部１２は、ユーザが各種入力を行うための入力手段である。
操作部１２には、例えば、ネイルプリント装置１の電源をＯＮする電源スイッチボタン１２１ａ、印刷の開始指示を入力する印刷開始指示スイッチボタン１２１ｂ、その他各種の入力を行うための操作ボタン１２１が配置されている。
【００２９】
また、ケース本体２の天板２ｆには液晶パネル（液晶ディスプレイ（ＬＣＤ：Liquid Crystal Display））等で構成された表示部１３が設けられている。
本実施形態において、この表示部１３の表面には、タッチパネルが一体的に構成されており、図示しないスタイラスペン等によるタッチ操作により、表示部１３の表面をタッチすることによっても各種の入力操作を行うことができるようになっている。
表示部１３には、例えば図１６，図１９，図３１に示すような各種の選択画面や、図１７、図２１〜図２７等に示すような各種の設定画面、図２０、図３２等に示すような確認画面等が表示される。
【００３０】
本実施形態では、後述するように、ネイルプリント装置１は、複数あるネイルデザインの中からユーザの要望に応じたネイルデザインを自動的に抽出して提案するネイルデザイン選択処理を行うようになっており、ネイルデザイン選択処理を行う際のモードとして、ネイルカタログモードと、ネイルコンシェルジュモードとを備えている。
表示部１３には、例えば図１５に示すように、ネイルカタログモードボタン１５１及びネイルコンシェルジュモードボタン１５２が表示されたモード選択画面１３１が表示可能となっており、ユーザはこのモード選択画面１３１においてネイルカタログモードボタン１５１又はネイルコンシェルジュモードボタン１５２をタッチ操作することにより、いずれかのネイルデザイン選択モードを選択することができるようになっている。なお、モード選択画面１３１には戻るボタン１５３が設けられており、この戻るボタン１５３を操作することにより、モード選択画面１３１における選択結果が解除され、前の画面に戻ることができる。
なお、ネイルプリント装置１は、ネイルデザインをネイルプリント装置１側で自動的に抽出してくれるネイルデザイン選択モードを備えるだけでなく、ユーザが自ら複数のネイルデザインの中から所望のネイルデザインを指定することができるようになっていてもよい。
【００３１】
ここで、ネイルカタログモードとは、「デザイン要素」、「シーン」、「色・イメージ」を指定（選択）することによって複数あるネイルデザインの中から指定された条件に合致したネイルデザインをネイルプリント装置１側で自動的に抽出してくれるものである。
【００３２】
「デザイン要素」とは、各ネイルデザインを構成している要素であり、例えば、図１９に示すデザインＮｏ．０００４であれば、「フレンチ」、デザインＮｏ．１０００であれば、「レース」、デザインＮｏ．００７０であれば、「リボン」、デザインＮｏ．０００２であれば、「レース」がデザイン要素となる。
「シーン」とは、当該ネイルデザインを施して外出するシーン、シチュエーションを意味するものであり、例えば、図１７に示すように、「オフィス」「結婚式」等の外出先や、「春」「クリスマス」等、ネイルデザインを施す季節等である。
「色・イメージ」とは、ネイルデザインの色やイメージであり、例えば、図１７に示すように、「レッド」「オレンジ」や「シンプル」「ゴージャス」等である。
【００３３】
これらの「デザイン要素」、「シーン」、「色・イメージ」は、各ネイルデザインごとに予め設定されており、その情報が後述するＲＯＭ５２等の記憶手段に記憶されている。
【００３４】
また、ネイルコンシェルジュモードとは、「服装・色・柄」、「シーン」、「対象年齢」等のファッション関連項目を指定（選択）すると、各項目に対する各ネイルデザインの相性度を評価して、複数あるネイルデザインの中から指定された項目と相性のよいネイルデザインをネイルプリント装置１側で自動的に抽出してくれるものである。
【００３５】
「ファッション関連項目」とは、ネイルデザインを選択する際に考慮される項目であり、少なくとも複数の「ファッションアイテム項目」及びこれらファッションアイテムの色を含む複数の「アイテム関連項目」を含んでいる。
「ファッションアイテム項目」とは、ネイルデザインを施して外出する際のユーザの服装の種類を示す項目であり、「ファッションアイテム」とは、例えばシャツ・ブラウスかワンピースかスーツか等、各種の服装を意味する。
「アイテム関連項目」とは、「ファッションアイテム項目」に挙げられている服装（すなわちファッションアイテム、例えばワンピース等）の色や柄等を示す項目である。なお、「アイテム関連項目」は、少なくともファッションアイテム（服装）の色を含んでいればよく、色や柄に限定されない。
【００３６】
なお、「ファッション関連項目」は、「ファッションアイテム項目」及び「アイテム関連項目」に限定されず、ネイルデザインを選択する際に考慮される各種の項目を広く含むものである。例えば、本実施形態では、「ファッションアイテム項目」及び「アイテム関連項目」の他、「対象年齢」や「シーン・対象」が「ファッション関連項目」として含まれている。
「対象年齢」とは、ネイルデザインを施そうとする人（ユーザ）の見た目年齢である。「シーン」とは、当該ネイルデザインを施して外出するシーン、シチュエーションを意味するものであり、例えば、図２７に示すように、「オフィス」「結婚式」等の外出先や、「春」「クリスマス」等、ネイルデザインを施す季節等である。また、「対象」とは、当該ネイルデザインを施して外出した先で会う予定の対象者に関する項目であり、対象者の年齢や性別等を含んでいる。
【００３７】
なお、「ファッション関連項目」、及び「アイテム関連項目」に含まれる項目、要素は、ここに例示したものに限定されない。ここに挙げた以外の項目が含まれていてもよいし、ここに挙げたものの一部のみであってもよい。
【００３８】
各ネイルデザインごとに予め設定された「ファッション関連項目」（すなわち「ファッションアイテム項目」としての服装の種類、「アイテム関連項目」としての服装の色・柄、「対象年齢」、「シーン」、「対象」等）ごとの評価点数（評価数値データ）は、後述するＲＯＭ５２等の記憶手段のネイルコンシェルジュ用の評価用データ部５２ａに記憶されている。
【００３９】
以下、ネイルデザイン選択処理を行う場合に表示部１３に表示される各画面について具体的に説明する。
モード選択画面１３１においてネイルカタログモードが選択されたときは、表示部１３には、図１７に示すネイルカタログモードの検索設定画面１３２が表示され、この検索設定画面１３２において、ユーザが所望の項目に画面上でタッチすることにより、検索項目を設定することができる。
なお、検索設定画面１３２には戻るボタン１５３及び検索開始ボタン１５４が設けられており、戻るボタン１５３を操作することにより、検索設定画面１３２における設定結果が解除され、前の画面（すなわち、図１６のモード選択画面１３１）に戻ることができる。また、検索開始ボタン１５４を操作することにより、ネイルカタログモードによるネイルデザインの検索を行うことができる。
【００４０】
また、表示部１３には、図１８に示すように、ネイルカタログモードによるネイルデザインの検索結果を表示する検索結果画面１３３が表示される。この検索結果画面１３３において、ユーザが画面上で所望のネイルデザインにタッチすることにより、ネイルデザインが選択される。
なお、１つの検索結果画面１３３に表示させるネイルデザインの数は図示例に限定されない。また、図１８では１つの画面に複数のネイルデザインを一覧表示させる例を示しているが、検索結果の表示の仕方はこれに限定されない。例えば、１つの画面に１つずつネイルデザインを表示させ、画面を順次スクロールさせることにより、複数のネイルデザインを順次画面上に表示させるようにしてもよい。
検索結果画面１３３には戻るボタン１５３が設けられており、戻るボタン１５３を操作することにより、検索結果画面１３３における選択結果が解除され、前の画面（すなわち、図１２の検索設定画面１３２）に戻ることができる。また、次行にスクロールしたい場合には次行ボタン１５６を操作し、前の行に戻りたい場合には前行ボタン１５７を操作することにより、検索結果を任意にスクロールさせることができる。なお、スクロール方向は限定されず、図１８に示すような縦方向のスクロールでなく、横方向のスクロールができるようにしてもよい。また、検索結果をさらに絞り込みたいときは、好みのネイルデザインを複数選択して絞込ボタン１５５を操作することにより、検索されたネイルデザインをユーザの選択したものにさらに絞り込むことができる。なお、好みのネイルデザインが１つしかない場合には、当該ネイルデザインを選択する。この場合決定ボタン１５８が画面上に表示され、ユーザがこの決定ボタン１５８を操作することにより選択された当該ネイルデザインが所望のネイルデザインとして選択される。
【００４１】
図１９は、ネイルデザインが４つに絞り込まれた状態を示すデザイン選択画面１３４の一例を示す図である。図１９に示すように、デザイン選択画面１３４には、戻るボタン１５３と決定ボタン１５８とが設けられており、戻るボタン１５３が操作されると、デザイン選択画面１３４における選択結果が解除され、前の画面（すなわち、図１８の検索結果画面１３３）に戻ることができる。また、ユーザがいずれかのネイルデザインを選択して決定ボタン１５８を操作すると、選択された当該ネイルデザイン（図１９ではデザインＮｏ．００７０）が反転表示され所望のネイルデザインとして選択される。
図２０は、ネイルカタログモードにおけるデザイン確認画面１３５の例である。デザイン選択画面１３４（又は検索結果画面１３３）において１つのネイルデザインが選択されるとデザイン確認画面１３５が表示される。デザイン確認画面１３５には、選択されたネイルデザインを親指から小指までの５指の爪部に印刷した状態を示したものである。このデザイン確認画面１３５においてユーザが戻るボタン１５３を操作すると、前の画面（すなわち、図１９のデザイン選択画面１３４）に戻ることができる。また、ユーザが確認決定ボタン１５９を操作すると、当該ネイルデザイン（図２０ではデザインＮｏ．００７０）がユーザの爪部に印刷するネイルデザインとして決定される。
【００４２】
また、モード選択画面１３１においてネイルコンシェルジュモードが選択されたときは、表示部１３は、図２１〜図２７に示すネイルコンシェルジュモードの項目設定画面１３６〜１４２において、後述する複数のファッション関連項目である服装の種類（図２１、図２２参照）や服装の柄（図２３参照）、服装の色（図２４参照）、靴の種類・色、鞄の種類・色（図２５参照）、全体のタイプ・印象（図２６参照）、対象年齢・シーン・対象（図２７参照）を表示させるようになっており、表示部１３は、複数のファッション関連項目を表示させる表示手段として機能する。
そして、ユーザはこの項目設定画面１３６〜１４２において所望の項目に画面上でタッチすることにより、所望のファッション関連項目を設定することができるようになっており、本実施形態では、表示部１３は、表示部１３に表示された複数のファッション関連項目の中から１又は複数のファッション関連項目を指定する項目指定手段としても機能する。
【００４３】
なお、図２１は服装の大分類を設定する第１の項目設定画面１３６であり、図２２は、図２１の第１の項目設定画面１３６において「ワンピース・ドレス」が選択された場合において、「ワンピース・ドレス」についてさらに詳細な分類を設定する第２の項目設定画面１３７である。また、図２３は、図２１の第１の項目設定画面１３６において「ワンピース・ドレス」が選択された場合において、「ワンピース・ドレス」の柄を設定する第３の項目設定画面１３８である。さらに、図２４は、図２１の第１の項目設定画面１３６において「ワンピース・ドレス」が選択された場合において、「ワンピース・ドレス」の色を設定する第４の項目設定画面１３９である。この色を設定する画面では、例えば服装が無地のワンピースである場合には、図２４中、「全体」の項目のみ色を選択する。また、服装が柄物のワンピースである場合には、例えば少し離れて当該服装を見たときの全体的な色の印象を「全体」の項の色項目の中から選択し、生地の地色を「地色」の項の中から選択し、柄の色を「柄色」の項の中から選択する。なお、柄が１色だけからなる場合には「柄色１」の項のみ対応する色を選択し、柄が複数色からなる場合には、例えば目立つ色から順に「柄色１」〜「柄色３」の項の中から対応する色を選択する。
項目設定画面１３６〜１４２（図２１〜図２７）には、戻るボタン１６１が設けられており、これを操作することにより、当該項目設定画面１３６〜１４２における設定結果が解除され、前の画面に戻ることができる。また、項目設定画面１３６〜１４１（図２１〜図２６）には、決定・次へボタン１６２が設けられており、この決定・次へボタン１６２を操作することにより当該項目設定画面１３６〜１４１における項目設定が決定され、次の項目設定画面１３７〜１４２に移行する。また、項目設定画面１４２（図２７）には、決定・開始ボタン１６３が設けられており、この決定・開始ボタン１６３を操作することにより当該項目設定画面１４２における項目設定が決定されるとともに、設定された項目でネイルコンシェルジュモードによるネイルデザインの順位付け（後述）が後述する制御部５１の順位決定部５１３により行われる。
【００４４】
さらに、表示部１３は、図２９、図３０に示すように、この順位付けの結果を表示する評価結果画面１４３を表示画面上に表示させる。
表示手段である表示部１３の評価結果画面１４３には、後述する制御部５１の順位決定部５１３により行われた順位付けにしたがって、順位の高い順にネイルデザインを少なくとも１つ表示させるようになっている。本実施形態では、順位の高い順に１位から６位までが１つの画面に表示されるようになっている。図２９、図３０に示すように、評価結果画面１４３には、各ネイルデザインの順位、デザインＮＯ．の他、当該ネイルデザインの特徴を表すコメントデータがネイルデザインの画像とともに表示される。なお、評価結果画面１４３に表示される内容はここに例示したものに限定されない。このうちの一部のみでもよいし、ここに挙げた以外の項目が表示されてもよい。
この評価結果画面１４３において、ユーザが画面上で所望のネイルデザインに複数タッチすることにより、複数のネイルデザインが選択され、絞込ボタン１６４を操作することにより評価結果が当該選択されたネイルデザインに絞り込まれる。
なお、１つの評価結果画面１４３に表示させるネイルデザインの数は図示例に限定されない。また、図２９、図３０では１つの画面に複数のネイルデザインを一覧表示させる例を示しているが、評価結果の表示の仕方はこれに限定されない。例えば、１つの画面に１つずつネイルデザインを表示させ、画面を順次スクロールさせることにより、複数のネイルデザインを順次画面上に表示させるようにしてもよい。
なお、好みのネイルデザインが１つしかない場合には、当該ネイルデザインを選択して決定ボタン１６７を操作することにより選択された当該ネイルデザインが所望のネイルデザインとして選択される。
【００４５】
図３１は、ネイルデザインが４つに絞り込まれた状態を示すデザイン選択画面１４４の一例を示す図である。図３１に示すように、デザイン選択画面１４４には、戻るボタン１６１と決定ボタン１６７とが設けられており、戻るボタン１６１が操作されると、前の画面（すなわち、図２９の評価結果画面１４３）に戻ることができる。また、ユーザがいずれかのネイルデザインを選択して決定ボタン１６７を操作すると、選択された当該ネイルデザイン（図３１ではデザインＮｏ．０００１）が反転表示され所望のネイルデザインとして選択される。
図３２は、ネイルコンシェルジュモードにおけるデザイン確認画面１４５の例である。デザイン選択画面１４４（又は評価結果画面１４３）において１つのネイルデザインが選択されるとデザイン確認画面１４５が表示される。デザイン確認画面１４５には、選択されたネイルデザインを親指から小指までの５指の爪部に印刷した状態を示したものである。このデザイン確認画面１４５においてユーザが戻るボタン１６１を操作すると、前の画面（すなわち、図３１のデザイン選択画面１４４）に戻ることができる。また、確認決定ボタン１６８を操作すると、当該ネイルデザイン（図３２ではデザインＮｏ．０００１）がユーザの爪部に印刷するネイルデザインとして決定される。
【００４６】
その他、表示部１３には、例えば、印刷指Ｕ１を撮影した指爪画像やその中の爪部Ｔを表す爪領域の画像や各種の指示画面等が適宜表示されるようになっている。
表示部は、後述する制御手段５０の制御部５１（表示制御部５１５）に接続され、該制御部５１（表示制御部５１５）によって制御されるようになっている。
【００４７】
また、制御装置５０は、例えば上部機枠１１ｂに配置された基板３１等に設置されている。図６は、本実施形態における制御構成を示す要部ブロック図である。
制御装置５０は、図６に示すように、図示しないＣＰＵ（Central Processing Unit）等によって構成されている制御部５１、記憶手段としてのＲＯＭ（Read Only Memory）５２及びＲＡＭ（Random Access Memory）５３等を備えるコンピュータである。なお、記憶手段は、制御装置５０内のＲＯＭ５２、ＲＡＭ５３に限定されず、他に記憶手段が設けられていてもよい。
【００４８】
この制御部５１は、機能的に見た場合、カタログ検索部５１１、評価算出部５１２、順位決定部５１３、印刷制御部５１４、表示制御部５１５等を備えている。これらカタログ検索部５１１、評価算出部５１２、順位決定部５１３、印刷制御部５１４、表示制御部５１５等としての機能は、ＣＰＵとＲＯＭ５２に記憶されたプログラムとの共働によって実現される。
【００４９】
本実施形態において、ＲＯＭ５２には、ネイルカタログモードでネイルデザインを自動的に選択するためのネイルカタログ検索プログラム、ネイルコンシェルジュモードでネイルデザインを自動的に選択するためのネイルコンシェルジュ評価プログラム、表示制御処理を行うための表示制御処理プログラム、印刷制御処理を行うための印刷制御処理プログラム等の各種プログラムが格納されており、これらのプログラムが制御装置５０によって実行されることにより、ネイルプリント装置１の各部が統括制御されるようになっている。
【００５０】
本実施形態では、ＲＯＭ５２には、ネイルカタログ用のデータを記憶するカタログ検索用データ部（図示せず）が設けられている。カタログ検索用データ部は、例えば「デザイン要素」「シーン」「色・イメージ」の各項目について、それぞれのネイルデザインに対応するものを予め設定して記憶させたものである。
カタログ検索用データ部に記憶させておく項目の数や種類は特に限定されないが、１つのネイルデザインについて、記憶させておく項目が多過ぎると、ネイルカタログモード用のデータの占めるデータ量が多くなり、大容量の記憶手段が必要となってしまう。
このため、本実施形態では、カタログ検索用データ部に記憶させておくネイルカタログモード用のデータとして各ネイルデザインごとに、１０バイト（ｂｙｔｅ）程度のデータを持ち、具体的には、例えば、「デザイン要素」に該当するデータが４個、「シーン」に該当するデータが２個、「色」に該当するデータが２個（当該ネイルデザインが３色以上で構成されている場合には、例えば最も多く使われている色と２番目に多く使われている色をカタログ検索用データ部に登録）、「イメージ」に該当するデータが２個を上限としてそれぞれ記憶されている。
【００５１】
また、本実施形態では、ＲＯＭ５２には、ネイルコンシェルジュ用のデータを記憶する評価用データ部５２ａが設けられており、複数のネイルデザインのデータ（ネイルデザイン画像のビットマップデータ等）が、各ネイルデザインを表すデザイン番号（デザインＮｏ．）、ネイルデザインの特徴を示すコメントデータ（文字データ）、各ネイルデザインごとに予め設定された「ファッション関連項目」（すなわち「ファッションアイテム項目」としての服装の種類、「アイテム関連項目」としての服装の色・柄、「対象年齢」、「シーン」、「対象」等）ごとの評価点数（評価数値データ）等と対応付けられてこのネイルコンシェルジュ用の評価用データ部５２ａに記憶されている。
【００５２】
図７は、本実施形態におけるネイルコンシェルジュ用の評価用データ部５２ａの構成例を示した図である。
図７に示す評価点数（評価数値データ）は、各ネイルデザインごとに各ファッション関連項目との相性度を評価した数値であり、図７に示すように、本実施形態では、ファッション関連項目として「服装（すなわちファッションアイテム）の種類」から「シーン・対象」まで、全３６７項目（図２１〜図２７参照）について、予め、例えばファッションデザイナー等が各ネイルデザインとの相性を評価し点数化したものが評価点数として記憶されている。
点数化の仕方は特に限定されないが、本実施形態では、各項目ごとに、各ネイルデザインとの相性が＋１２７点〜−１２７点までの間で点数評価されている。点数評価は全ての項目について行われており、例えば、服装の柄であれば、図２３に示すように、２０項目が用意されている。また、服装の色であれば、図２４に示すように、全体の色、地色、柄色１〜３について、それぞれ４０色、全２００項目が用意されている。なお、柄の種類や色の数はここに例示したものに限定されない。例えば、服装の色について１２色程度の項目数としてもよいし、１００色等の項目を用意してもよい。そして、図７に示すように、評価用データ部５２ａには、これらそれぞれの項目について各ネイルデザインとの相性を示す評価点数が各ネイルデザインと対応付けられて記憶されている。なお、このように評価用データは評価点数として記憶されているため、多くの項目を用意しても１バイト（ｂｙｔｅ）程度の少ないデータ量ですむ。
本実施形態において、ＲＯＭ５２は、複数のネイルデザインを、複数のファッション関連項目に対する各ネイルデザインの相性度を示す評価数値データと対応付けて記憶する第１の記憶手段として機能する。
【００５３】
また、ＲＡＭ５３は、各種データ等を記憶する記憶領域と、制御部５１が各種処理を行う際にプログラム等を展開する作業領域（図示せず）とを備えている。
本実施形態において、ＲＡＭ５３の記憶領域には、評価算出手段である評価算出部５１２により算出された評価結果を記憶する評価結果データ部５３ａが設けられており、ＲＡＭ５３は評価算出部５１２により算出された評価結果を記憶する第２の記憶手段として機能する。
【００５４】
図８は、本実施形態におけるネイルコンシェルジュ用の評価結果データ部５３ａの構成例を示した図である。
図８に示すように、評価結果データ部５３ａには、評価算出手段である評価算出部５１２により各ネイルデザインごとの評価点数（評価数値データ）を加算することにより算出された評価結果（すなわち評価点数の合計）が各ネイルデザインのデザイン番号と対応付けられて記憶されている。
なお、評価結果データ部５３ａには、評価算出部５１２により算出された全てのネイルデザインの評価結果が順次記憶されていってもよいし、例えば、評価算出部５１２が評価点数を算出するごとに既に算出されているネイルデザインの評価結果と比較し、例えば上位１２位程度までの高い評価結果であるネイルデザインについてその評価結果を記憶し、それ以下のものについてはデータを保存しないようにしてもよい。
【００５５】
カタログ検索部５１１は、ネイルデザインを選択するデザイン選択モードとしてネイルカタログモードが選択された場合に、複数のネイルデザインの中から、ユーザにより設定された検索項目に合致するネイルデザインを選択するものである。
具体的には、カタログ検索部５１１は、ユーザにより指定（設定）された検索項目が各ネイルデザインに対応付けられているかを、デザインＮｏ．０００１から順に検索していき、対応付けられている場合にはポイントを＋１ずつ加算していく。
例えば、ユーザにより指定（設定）された検索項目が図１７に示すように、「フレンチ」「レース」「オフィス」「春」「ピンク」「シンプル」であり、デザインＮｏ．０００４に対応付けられている「デザイン要素」が「フレンチ」、「シーン」が「オフィス」「春」、「色・イメージ」が「ピンク」「シンプル」である場合、デザインＮｏ．０００４にはユーザの設定した項目のうち、「フレンチ」「オフィス」「春」「ピンク」「シンプル」の５項目が含まれていることになる。このため、デザインＮｏ．０００４に加算されるポイントは、＋５となる。また、例えば、デザインＮｏ．０００２に対応付けられている「デザイン要素」が「レース」、「シーン」が「デート」「秋」、「色・イメージ」が「ピンク」「クール」である場合には、デザインＮｏ．０００２にはユーザの設定した項目のうち、「レース」「ピンク」の２項目が含まれていることになる。このため、デザインＮｏ．０００２に加算されるポイントは、＋２となる。
このような検索をＲＯＭ５２に記憶されている全てのネイルデザイン（本実施形態ではデザインＮｏ．０００１〜デザインＮｏ．１０００の１０００個のネイルデザイン）について行い、加算されたポイントの多かった順に例えば上位３６個を検索結果とする。カタログ検索部５１１による検索結果は、表示部１３の検索結果画面１３３（図１８参照）に表示される。なお、上位何個のネイルデザインを検索結果として表示させるかは特に限定されない。例えば所定のポイント以上のもののみを検索結果として表示させるとしてもよい。
【００５６】
評価算出部５１２は、第１の記憶手段であるＲＯＭ５２に記憶されている各ネイルデザインについて、項目指定手段である表示部１３のタッチパネルによって指定されたファッション関連項目毎の評価点数（評価数値データ）を読み出して加算し、各ネイルデザイン毎の評価結果を算出する評価算出手段である。
なお、本実施形態では、評価算出部５１２が評価結果を算出する際に、指定されたファッションアイテム（すなわちユーザの服装）の種類によって評価点数の重み付けを変えており、例えばファッションアイテムが「ワンピース」、「スーツ」、「コート」、「着物」である場合には、重み付け係数Ｋを１とし、ファッションアイテムが「ハーフコート」、「羽織」、「帯」である場合には、重み付け係数を１/２としている。また、ファッションアイテムの色や柄についても、ネイルデザインとの相性に大きく関わるもの（例えば服装全体の色等）については重く評価（例えば重み付け係数Ｋに２を乗じて評価）し、それほど重要でないもの（例えば服装の一部に施された柄の色等）については軽く評価（例えば重み付け係数Ｋに１/４を乗じて評価）するように重み付けをしている。これにより、ネイルデザインを服装等とコーディネートした際により適切なマッチングを図ることができる。なお、評価算出部５１２における重み付けの手法はここに例示したものに限定されない。また、評価算出部５１２においてこのような重み付けを行うことは必須ではなく、重み付けを行わずに単にファッション関連項目毎の評価点数（評価数値データ）を読み出して加算することにより評価結果を算出してもよい。
【００５７】
順位決定部５１３は、第２の記憶手段であるＲＡＭ５３の評価結果データ部５３ａに記憶された各ネイルデザイン毎の評価結果を比較して、各ネイルデザインの順位付けを行う順位決定手段である。
具体的には、順位決定部５１３は、評価算出部５１２によってネイルデザインの評価結果が算出されると、既に評価結果データ部５３ａに記憶されている評価結果がある場合には、新たに算出された評価結果をこれと比較し、最も点数の高いものを暫定１位とする。また、未だ評価結果データ部５３ａに記憶されている評価結果がない場合（例えばデザインＮｏ．０００１の評価結果等、１件目である場合）には、当該ネイルデザインを暫定１位と決定する。
なお、評価結果の上位のものから順に１２位まで等、所定の高評価のネイルデザインについてのみ評価結果を評価結果データ部５３ａに記憶させておく場合には、順位決定部５１３による比較の結果、評価結果が１２位以下であると判断されたネイルデザインについては、これについて算出された評価結果を順次破棄していき、評価結果データ部５３ａには常に上位１２位までの評価結果が算出されたネイルデザインについてその評価結果を記憶させるようにする。
【００５８】
印刷制御部５１４は、ネイルカタログモード、ネイルコンシェルジュモード等において選択されたネイルデザインをユーザの爪部に対して印刷するように印刷部４０を制御する印刷制御手段である。
【００５９】
表示制御部５１５は、表示手段としての表示部１３に各種の画像等を表示させる表示制御手段である。
本実施形態において、表示制御部５１５は、複数のファッション関連項目を表示手段である表示部１３に表示させる第１の表示制御手段として機能する。すなわち、表示制御部５１５は、表示部１３を制御して複数のファッション関連項目が一覧表示された項目設定画面（図２１〜図２７）を表示部１３に表示させる。なお、本実施形態では、複数のファッション関連項目が１つの表示画面上に表示される場合を例としたが、ファッション関連項目の表示のさせ方はこれに限定されない。例えば、ファッション関連項目を１つずつ画面に表示させ、表示画面を切り替えたりスクロールさせたりすることによってファッション関連項目を順次表示させるようにしてもよい。
また、表示制御部５１５は、順位決定手段である順位決定部５１３により行われた順位付けにしたがって、順位の高い順にネイルデザインを少なくとも１つ表示手段である表示部１３に表示させる第２の表示制御手段として機能する。なお、本実施形態では、表示部１３の１つの評価結果画面１４３上に６つのネイルデザインが対応するコメント及びデザイン番号とともに２列３段で表示される場合を例としたが、評価結果画面１４３上に表示されるネイルデザインの数や表示させる際のレイアウト、表示される項目等はここに例示したものに限定されない。例えば、ネイルデザインを１つずつ画面に表示させ、表示画面を切り替えたりスクロールさせたりすることによって順位の高い順にネイルデザインを順次表示させるようにしてもよい。
【００６０】
次に、上記ネイルプリント装置１によるネイルデザインの表示制御方法について、図９〜図１５のフローチャート及び図１６〜図３２を参照しつつ説明する。
【００６１】
図９に示すように、本実施形態においてネイルデザイン表示処理を行う場合には、表示部１３に表示させるネイルデザインを選択するためのネイルデザイン選択モードとしてネイルカタログモードによるかネイルコンシェルジュモードによるかを選択するモード選択画面１３１（図１６参照）が表示部１３に表示される（ステップＳ１）。制御部５１はこのモード選択画面１３１においてネイルカタログモードボタン１５１が操作されたか否かを判断し（ステップＳ２）、ネイルカタログモードボタン１５１が操作されたと判断した場合（ステップＳ２；ＹＥＳ）には、制御部５１は、ネイルカタログモードによるネイルデザイン表示処理（図１０及び図１１参照）を行う（ステップＳ３）。
他方、ネイルカタログモードボタン１５１が操作されていないと判断した場合（ステップＳ２；ＮＯ）には、さらに、制御部５１はこのモード選択画面１３１においてネイルコンシェルジュモードボタン１５２が操作されたか否かを判断し（ステップＳ４）、ネイルコンシェルジュモードボタン１５２が操作されたと判断した場合（ステップＳ４；ＹＥＳ）には、制御部５１は、ネイルコンシェルジュモードによるネイルデザイン表示処理（図１２〜図１５参照）を行う（ステップＳ５）。他方、ネイルコンシェルジュモードボタン１５２が操作されていないと判断した場合（ステップＳ４；ＮＯ）には、制御部５１はさらに戻るボタンが操作されたか否かを判断する（ステップＳ６）。そして、戻るボタン１５３が操作されていないと判断したとき（ステップＳ６；ＮＯ）には、ステップＳ２に戻ってネイルカタログモードボタン１５１が操作されたか否かを判断し、戻るボタン１５３が操作されたと判断したとき（ステップＳ６；ＹＥＳ）には、ステップＳ１に戻ってモード選択画面１３１を表示部１３に表示させる。
【００６２】
図１０及び図１１は、ネイルカタログモードによって表示部１３に表示させるネイルデザインを選択してネイルデザイン表示処理を行う場合（すなわち、図９においてステップＳ３）について示したフローチャートである。
モード選択画面１３１においてネイルカタログモードボタン１５１が操作され、ネイルカタログモードが選択された場合には、表示部１３に検索設定画面１３２（図１７参照）が表示される（ステップＳ１１）。図１７に示すように検索設定画面１３２には、「デザイン要素」「シーン」「色・イメージ」ごとに複数の項目が表示されており、ユーザが表示画面上にタッチすることにより、所望のネイルデザインを構成するデザイン要素、ネイルデザインを施して外出する場所や季節、所望するネイルの色やイメージを選択することができるようになっている。選択した項目は反転表示されるようになっており、２度押しすると選択を取り消すことができる。制御部５１はこの検索設定画面１３２において戻るボタン１５３が操作されたか否かを判断する（ステップＳ１２）。戻るボタン１５３が操作されたと判断した場合（ステップＳ１２；ＹＥＳ）には、制御部５１は、１つ前の画面、すなわち、モード選択画面１３１（図１６参照）を表示部１３に表示させ（ステップＳ１３）、図９に示した処理を繰り返す。
他方、戻るボタン１５３が操作されていないと判断した場合（ステップＳ１２；ＮＯ）には、制御部５１は、さらに検索開始ボタン１５４が操作されたか否かを判断する（ステップＳ１４）。検索開始ボタン１５４が操作されていないと判断した場合（ステップＳ１４；ＮＯ）には、ステップＳ１１に戻って検索設定画面１３２を表示部１３に表示させる。他方、検索開始ボタン１５４が操作されたと判断した場合（ステップＳ１４；ＹＥＳ）には、制御部５１は、カタログ検索部５１１による検索を開始させる（ステップＳ１５）。
具体的には、カタログ検索部５１１は、ＲＯＭ５２のカタログ検索用データ部に記憶されているネイルカタログ用のデータを読み出し、ネイルカタログ用のデータとして各ネイルデザインごとに記憶されている項目に、検索設定画面１３２においてユーザによって選択された項目が含まれているか否かを検索する。選択された項目が含まれている場合には＋１ポイントを加算していき、加算されたポイントの最も多いものから順に３６個のネイルデザインを抽出する。
【００６３】
カタログ検索部５１１による検索結果は表示部１３に検索結果画面１３３（図１８参照）として表示される（ステップＳ１６）。図１８に示すように、本実施形態において、検索結果画面１３３には、カタログ検索部５１１によって抽出されたネイルデザインが１８個ずつ表示される。ユーザは検索結果画面１３３において好みのネイルデザインにタッチすることによりネイルデザインを選択することができる。また、ネイルデザインが１つのが表示画面内に収まらない場合には、次行ボタン１５６、前行ボタン１６７を操作することにより画面をスクロールさせることができる。制御部５１は、この検索結果画面１３３において戻るボタン１５３が操作されたか否かを判断する（ステップＳ１７）。戻るボタン１５３が操作されたと判断した場合（ステップＳ１７；ＹＥＳ）には、ステップＳ１１に戻って検索設定画面１３２を表示部１３に表示させる。他方、戻るボタン１５３が操作されていないと判断した場合（ステップＳ１７；ＮＯ）には、制御部５１は、検索結果画面１３３においてネイルデザインが１つ以上選択されたか否かを判断する（ステップＳ１８）。ネイルデザインが１つ以上選択されたと判断した場合（ステップＳ１８；ＹＥＳ）には、さらに検索結果画面１３３においてネイルデザインが２つ以上選択されたか否かを判断する（ステップＳ１９）。ネイルデザインが２つ以上選択されていないと判断した場合（ステップＳ１９；ＮＯ）には、検索結果画面１３３において決定ボタン１５５が操作されたか否かを判断する（ステップＳ２０）。決定ボタン１５５が操作されていないと判断した場合（ステップＳ２０；ＮＯ）やネイルデザインが１つも選択されていないと判断した場合（ステップＳ１８；ＮＯ）にはステップＳ１６に戻って処理を繰り返す。また、ネイルデザインが１つ選択されるとともに決定ボタン１５５が操作されたと判断した場合（ステップＳ２０；ＹＥＳ）には、当該ネイルデザインが爪部に印刷すべきネイルデザインとして選択され、図１１のステップＳ２７に示すように、当該ネイルデザインを親指から小指まで５指に施した場合のイメージを示すデザイン確認画面１３５（図２０参照）が表示部１３に表示される。
【００６４】
また、ネイルデザインが２つ以上選択されたと判断した場合（ステップＳ１９；ＹＥＳ）には、検索結果画面１３３において絞込ボタン１５５を表示させ、決定ボタン１５８を非表示とする（ステップＳ２１）。そして、この場合には、図１１に示すように、制御部５１は、デザイン確認画面１３５において絞込ボタン１５５が操作されたか否かを判断する（ステップＳ２２）。絞込ボタン１５５が操作されていないと判断した場合（ステップＳ２２；ＮＯ）には、ステップＳ１６に戻って処理を繰り返す。他方、絞込ボタン１５５が操作されたと判断した場合（ステップＳ２２；ＹＥＳ）には、デザイン選択画面１３４（図１９参照）を表示部１３に表示させる（ステップＳ２３）。デザイン選択画面１３４には、検索結果画面においてユーザが選択したネイルデザインのみが表示されており、ユーザはこの中から好みのネイルデザインにタッチすることによりネイルデザインを１つ選択することができる。選択されたネイルデザインは表示画面上で反転表示される。図１９に示すように、本実施形態では、絞込みの結果、デザインＮｏ．０００４、デザインＮｏ．１０００、デザインＮｏ．００７０、デザインＮｏ．０００２の４つのネイルデザインがデザイン選択画面１３４に表示されており、この中からユーザがデザインＮｏ．００７０のネイルデザインを選択した場合を例として示している。
【００６５】
デザイン選択画面１３４が表示部１３に表示された際、制御部５１は、このデザイン選択画面１３４において戻るボタン１５３が操作されたか否かを判断する（ステップＳ２４）。戻るボタン１５３が操作されたと判断した場合（ステップＳ２４；ＹＥＳ）には、ステップＳ１６に戻って検索結果画面１３３を表示部１３に表示させる。他方、戻るボタン１５３が操作されていないと判断した場合（ステップＳ２４；ＮＯ）には、制御部５１は、デザイン選択画面１３４においてネイルデザインが１つ選択されたか否かを判断する（ステップＳ２５）。ネイルデザインが１つも選択されていないと判断される場合（ステップＳ２５；ＮＯ）には、ステップＳ２３に戻って処理を繰り返す。他方、ネイルデザインが１つ選択されたと判断した場合（ステップＳ２５；ＹＥＳ）には、制御部５１は、決定ボタン１５８が操作されたか否かを判断する（ステップＳ２６）。決定ボタン１５８が操作されていないと判断される場合（ステップＳ２６；ＮＯ）には、ステップＳ２３に戻って処理を繰り返す。他方、決定ボタン１５８が操作されたと判断される場合（ステップＳ２６；ＹＥＳ）には、当該ネイルデザインが爪部に印刷すべきネイルデザインとして選択され、デザイン確認画面１３５（図２０参照）が表示部１３に表示される（ステップＳ２７）。
図２０に示すように、デザイン確認画面１３５には、当該ネイルデザインを親指から小指まで５指に施した場合のイメージが表示される。デザイン確認画面１３５が表示されると、制御部５１は確認決定ボタン１５９が操作されたか否かを判断し（ステップＳ２８）、確認決定ボタン１５９が操作されたと判断すると（ステップＳ２８；ＹＥＳ）、当該ネイルデザインをユーザの爪部に印刷するデザインとして決定し、処理を終了する。他方、確認決定ボタン１５９が操作されていないと判断すると（ステップＳ２８；ＮＯ）、ステップＳ２７に戻って処理を繰り返す。なお、デザイン確認画面１３５において戻るボタン１５３が操作された場合には、１つ前の画面であるデザイン選択画面１３４を表示部１３に表示させ、以降の処理を繰り返す。
【００６６】
次に、図１２〜図１４は、ネイルコンシェルジュモードによって表示部１３に表示させるネイルデザインを選択してネイルデザイン表示処理を行う場合（すなわち、図９においてステップＳ５）について示したフローチャートである。
モード選択画面１３１においてネイルコンシェルジュモードボタン１５２が操作され、ネイルコンシェルジュモードが選択された場合には、表示部１３に第１の項目設定画面１３６（図２１参照）が表示される（ステップＳ３１）。図２１に示すように第１の項目設定画面１３６には、「ファッションアイテム」として、「シャツ・ブラウス」や「ワンピース・ドレス」等、各種の服装の種類を大きく分類した項目が複数表示されており、ユーザが表示画面上にタッチすることにより、ユーザがネイルデザインを施して外出する際の服装の種類を指定（設定）することができる。選択した項目は反転表示されるようになっており、２度押しすると選択を取り消すことができる。また、制御部５１はこの第１の項目設定画面１３６において戻るボタン１６１が操作されたか否かを判断する（ステップＳ３２）。戻るボタン１６１が操作されたと判断した場合（ステップＳ３２；ＹＥＳ）には、制御部５１は、１つ前の画面、すなわち、モード選択画面１３１（図１６参照）を表示部１３に表示させ（ステップＳ３３）、図９に示した処理を繰り返す。
他方、戻るボタン１６１が操作されていないと判断した場合（ステップＳ３２；ＮＯ）には、制御部５１は、さらに決定・次へボタン１６２が操作されたか否かを判断する（ステップＳ３４）。決定・次へボタン１６２が操作されていないと判断した場合（ステップＳ３４；ＮＯ）には、ステップＳ３１に戻り、処理を繰り返す。他方、決定・次へボタン１６２が操作されたと判断した場合（ステップＳ３４；ＹＥＳ）には、制御部５１は、第１の項目設定画面１３６においてユーザにより選択（設定）されたファッションアイテムの数をＮとし、Ｎの値をＲＡＭ５３に記憶させる。本実施形態では、ユーザによって選択された「ファッションアイテム」は「ワンピース・ドレス」のみであるため、ファッションアイテムの数「Ｎ」は１であり、「Ｎ＝１」がＲＡＭ５３に記憶される。
【００６７】
次に、制御部５１（表示制御部５１５）は、表示部１３に第２の項目設定画面１３７（図２２参照）を表示させる（ステップＳ３６）。図２２に示すように第２の項目設定画面１３７には、「ファッションアイテム」の種類として、「シフォン」や「長袖」、「フォーマルドレス」等、各種の服装の種類をさらに細かく分類した項目が複数表示されており、ユーザが表示画面上にタッチすることにより、ユーザがネイルデザインを施して外出する際の服装の具体的な種類を指定（設定）することができる。選択した項目は反転表示されるようになっており、２度押しすると選択を取り消すことができる。また、制御部５１はこの第２の項目設定画面１３７において戻るボタン１６１が操作されたか否かを判断する（ステップＳ３７）。戻るボタン１６１が操作されたと判断した場合（ステップＳ３７；ＹＥＳ）には、制御部５１は、ステップＳ３１に戻り、第１の項目設定画面１３６（図２１参照）を表示部１３に表示させて、処理を繰り返す。
戻るボタン１６１が操作されていないと判断した場合（ステップＳ３７；ＮＯ）には、制御部５１は、さらに決定・次へボタン１６２が操作されたか否かを判断する（ステップＳ３８）。決定・次へボタン１６２が操作されていないと判断した場合（ステップＳ３８；ＮＯ）には、ステップＳ３１に戻り、処理を繰り返す。
【００６８】
他方、決定・次へボタン１６２が操作されたと判断した場合（ステップＳ３８；ＹＥＳ）には、制御部５１（表示制御部５１５）は、表示部１３に第３の項目設定画面１３８（図２３参照）を表示させる（ステップＳ３９）。図２３に示すように第３の項目設定画面１３８には、「ファッションアイテム」の柄として、「無地」や「ボーダー」、「花」等、各種の服装の柄を示す項目が複数表示されており、ユーザが表示画面上にタッチすることにより、ユーザがネイルデザインを施して外出する際の服装の具体的な柄を指定（設定）することができる。選択した項目は反転表示されるようになっており、２度押しすると選択を取り消すことができる。また、制御部５１はこの第３の項目設定画面１３８において戻るボタン１６１が操作されたか否かを判断する（ステップＳ４０）。戻るボタン１６１が操作されたと判断した場合（ステップＳ４０；ＹＥＳ）には、制御部５１は、ステップＳ３６に戻り、第２の項目設定画面１３７（図２２参照）を表示部１３に表示させて、処理を繰り返す。
戻るボタン１６１が操作されていないと判断した場合（ステップＳ４０；ＮＯ）には、制御部５１は、さらに決定・次へボタン１６２が操作されたか否かを判断する（ステップＳ４１）。決定・次へボタン１６２が操作されていないと判断した場合（ステップＳ４１；ＮＯ）には、ステップＳ３９に戻り、処理を繰り返す。
【００６９】
他方、決定・次へボタン１６２が操作されたと判断した場合（ステップＳ４１；ＹＥＳ）には、制御部５１（表示制御部５１５）は、表示部１３に第４の項目設定画面１３９（図２４参照）を表示させる（ステップＳ４２）。図２４に示すように第４の項目設定画面１３９には、「ファッションアイテム」の色として、「全体色」「地色」「柄色」についてそれぞれ４０色の項目が表示されており、ユーザが表示画面上にタッチすることにより、ユーザがネイルデザインを施して外出する際の服装の色を指定（設定）することができる。選択した項目は反転表示されるようになっており、２度押しすると選択を取り消すことができる。また、制御部５１はこの第４の項目設定画面１３９において戻るボタン１６１が操作されたか否かを判断する（ステップＳ４３）。戻るボタン１６１が操作されたと判断した場合（ステップＳ４３；ＹＥＳ）には、制御部５１は、ステップＳ３９に戻り、第３の項目設定画面１３８（図２３参照）を表示部１３に表示させて、処理を繰り返す。
戻るボタン１６１が操作されていないと判断した場合（ステップＳ４３；ＮＯ）には、制御部５１は、さらに決定・次へボタン１６２が操作されたか否かを判断する（ステップＳ４４）。決定・次へボタン１６２が操作されていないと判断した場合（ステップＳ４４；ＮＯ）には、ステップＳ４２に戻り、処理を繰り返す。
【００７０】
他方、決定・次へボタン１６２が操作されたと判断した場合（ステップＳ４４；ＹＥＳ）には、制御部５１は、ユーザによって指定されたファッションアイテムの数である「Ｎ」の値を「Ｎ-１」として、これを新たな「Ｎ」と置く（ステップＳ４５）。そして、この新たな「Ｎ」の値が「０」となったか否かを判断する（ステップＳ４６）。
新たな「Ｎ」の値が「０」となっていないと判断した場合（ステップＳ４６；ＮＯ）には、ステップＳ３６に戻り、まだ色や柄の指定（設定）を行っていないアイテムについて、同様に第２の項目設定画面１３７（図２２参照）から第４の項目設定画面１３９（図２４参照）の各画面を順次表示させ、ファッションアイテム（服装）の詳細・色・柄についての指定（設定）を行わせる。例えば、ユーザによって選択されたファッションアイテムが「シャツ・ブラウス」と「スカート」である場合には、まず「シャツ・ブラウス」について第２の項目設定画面１３７（図２２参照）から第４の項目設定画面１３９（図２４参照）の各画面を順次表示させ、「シャツ・ブラウス」の詳細・色・柄についての指定（設定）を行わせ、次に、「スカート」について同様に第２の項目設定画面１３７（図２２参照）から第４の項目設定画面１３９（図２４参照）の各画面を順次表示させ、「スカート」の詳細・色・柄についての指定（設定）を行わせる。
【００７１】
新たな「Ｎ」の値が「０」となったと判断した場合（ステップＳ４６；ＹＥＳ）には、図１３に示すように、制御部５１（表示制御部５１５）は、表示部１３に第５の項目設定画面１４０（図２５参照）を表示させる（ステップＳ４７）。本実施形態では、前述のようにユーザによって選択されたファッションアイテムが「ワンピース・ドレス」のみであるため、「Ｎ＝０」となり、表示部１３に第５の項目設定画面１４０（図２５参照）が表示される。
図２５に示すように第５の項目設定画面１４０には、「靴の種類」が６種類、「靴の色」が４０色、「鞄の種類」が５種類、「鞄の色」が４０色それぞれ選択可能な項目として表示されており、ユーザが表示画面上にタッチすることにより、ユーザがネイルデザインを施して外出する際の靴の種類・色及び鞄の種類・色を指定（設定）することができる。選択した項目は反転表示されるようになっており、２度押しすると選択を取り消すことができる。また、制御部５１はこの第５の項目設定画面１４０において戻るボタン１６１が操作されたか否かを判断する（ステップＳ４８）。戻るボタン１６１が操作されたと判断した場合（ステップＳ４８；ＹＥＳ）には、制御部５１は、ステップＳ４２に戻り、第４の項目設定画面１３９（図２４参照）を表示部１３に表示させて、処理を繰り返す。
戻るボタン１６１が操作されていないと判断した場合（ステップＳ４８；ＮＯ）には、制御部５１は、さらに決定・次へボタン１６２が操作されたか否かを判断する（ステップＳ４９）。決定・次へボタン１６２が操作されていないと判断した場合（ステップＳ４９；ＮＯ）には、ステップＳ４７に戻り、処理を繰り返す。
【００７２】
他方、決定・次へボタン１６２が操作されたと判断した場合（ステップＳ４９；ＹＥＳ）には、制御部５１（表示制御部５１５）は、表示部１３に第６の項目設定画面１４１（図２６参照）を表示させる（ステップＳ５０）。図２６に示すように第６の項目設定画面１４１には、「全体のタイプ・印象」として、「フェミニン」「スポーティ」「エレガント」「モダン」等の項目が表示されており、ユーザが表示画面上にタッチすることにより、ユーザがネイルデザインを施して外出する際の全体のタイプ・印象を指定（設定）することができる。選択した項目は反転表示されるようになっており、２度押しすると選択を取り消すことができる。また、制御部５１はこの第６の項目設定画面１４１において戻るボタン１６１が操作されたか否かを判断する（ステップＳ５１）。戻るボタン１６１が操作されたと判断した場合（ステップＳ５１；ＹＥＳ）には、制御部５１は、ステップＳ４７に戻り、第５の項目設定画面１４０（図２５参照）を表示部１３に表示させて、処理を繰り返す。
戻るボタン１６１が操作されていないと判断した場合（ステップＳ５１；ＮＯ）には、制御部５１は、さらに決定・次へボタン１６２が操作されたか否かを判断する（ステップＳ５２）。決定・次へボタン１６２が操作されていないと判断した場合（ステップＳ５２；ＮＯ）には、ステップＳ５０に戻り、処理を繰り返す。
【００７３】
他方、決定・次へボタン１６２が操作されたと判断した場合（ステップＳ５２；ＹＥＳ）には、制御部５１（表示制御部５１５）は、表示部１３に第７の項目設定画面１４２（図２７参照）を表示させる（ステップＳ５３）。図２７に示すように第７の項目設定画面１４２には、ユーザの見た目年齢（ネイルをする対象者の年齢）、ネイルデザインを施して外出するシーン（外出先のシチュエーション等）、季節、外出先で会う相手（対象）等の項目が表示されており、ユーザが表示画面上にタッチすることにより、ユーザの年齢やユーザがネイルデザインを施して外出する際のシーン・対象等を指定（設定）することができる。選択した項目は反転表示されるようになっており、２度押しすると選択を取り消すことができる。また、制御部５１はこの第６の項目設定画面１４１において戻るボタン１６１が操作されたか否かを判断する（ステップＳ５４）。戻るボタン１６１が操作されたと判断した場合（ステップＳ５４；ＹＥＳ）には、制御部５１は、ステップＳ５０に戻り、第６の項目設定画面１４１（図２６参照）を表示部１３に表示させて、処理を繰り返す。
戻るボタン１６１が操作されていないと判断した場合（ステップＳ５４；ＮＯ）には、制御部５１は、さらに決定・次へボタン１６２が操作されたか否かを判断する（ステップＳ５５）。決定・次へボタン１６２が操作されていないと判断した場合（ステップＳ５５；ＮＯ）には、ステップＳ５３に戻り、処理を繰り返す。
他方、決定・次へボタン１６２が操作されたと判断した場合（ステップＳ５５；ＹＥＳ）には、制御部５１（評価算出部５１２）による評価算出処理が行われる（ステップＳ５６）。
【００７４】
ここで、図１５を参照しつつ、制御部５１（評価算出部５１２）による評価算出処理の具体的な内容について説明する。
評価算出処理において、評価算出部５１２は、まず１つ目のネイルデザインについて評価点数のポイントＳを０と置く（ステップＳ７１）。また、ユーザによって選択されたファッションアイテムの数Ｎを読み出して（ステップＳ７２）、Ｎ番目のファッションアイテムを評価算出対象としてセットする（ステップＳ７３）。例えばファッションアイテム数Ｎが３である場合には、３番目のファッションアイテムを評価算出対象としてセットする。本実施形態では、ユーザによって選択されたファッションアイテムは「ワンピース・ドレス」のみであるため、「Ｎ＝１」であり、Ｎ番目のファッションアイテムとして「ワンピース・ドレス」がセットされる。
【００７５】
評価算出部５１２は、セットされたファッションアイテムが「ワンピース」「スーツ」「コート」「着物」のうちのいずれかであるか否かを判断する（ステップＳ７４）。ファッションアイテムがこれらのうちのいずれかであると判断した場合（ステップＳ７４；ＹＥＳ）には、さらにセットされたファッションアイテムが「ハーフコート」「羽織」「帯」のうちのいずれかであるか否かを判断する（ステップＳ７５）。そして、ファッションアイテムがこれらのうちのいずれでもないと判断した場合（ステップＳ７５；ＮＯ）には、ファッションアイテムについての評価算出処理における重み付け係数Ｋを「１」とする（ステップＳ７６）。他方、ファッションアイテムが「ワンピース」「スーツ」「コート」「着物」のうちのいずれでもないと判断した場合（ステップＳ７４；ＮＯ）及びファッションアイテムが「ハーフコート」「羽織」「帯」のうちのいずれかであると判断した場合（ステップＳ７５；ＹＥＳ）には、ファッションアイテムについての評価算出処理における重み付け係数Ｋを「１/２」とする（ステップＳ７７）。
そして、ネイルデザインについて評価点数のポイントであるＳについて、まず、選択された服装の種類についての評価点数を算出し、この算出結果を新たな「Ｓ」と置く（ステップＳ７８）。例えば本実施形態では選択されたファッションアイテムが「ワンピース」であるため、重み付け係数は１であり、当初の評価点数のポイント「Ｓ」は「０」となっているため、Ｓ＝１×選択された服装の種類の評価点数の和が算出される。
図２８は、図７に示すＲＯＭ５２の評価用データ部５２ａのデータのうち、本実施形態においてユーザが選択した各項目についての各ネイルデザインごとの評価点数のみを便宜的に抜き出して示したものである。図２８及び図７に示すように、本実施形態では、例えばデザインＮｏ．０００１における服装の種類の評価点数は、「ワンピース・ドレス」が８０ポイントであり、服装の詳細としてユーザが選択した「シフォン」「長袖」がそれぞれ７０ポイントであるため、服装の種類の評価点数の和は２２０ポイントとなる。これにより、服装の種類についての評価点数は１×２２０であり、算出結果である新たな「Ｓ」は２２０となる。
【００７６】
次に、評価算出部５１２は、選択された服装の柄についての評価点数の和を算出し、この点数をステップＳ７８で算出された新たな「Ｓ」に加算して、この算出結果を新たな「Ｓ」と置く（ステップＳ７９）。例えば本実施形態では服装の柄として「花」「中柄」「リボン」が選択されており、例えばデザインＮｏ．０００１における服装の柄の評価点数は、「花」が８０ポイント、「中柄」が６０ポイント、「リボン」が３０ポイントとなっている（図２８参照）。このため、服装の種類の評価点数に服装の柄についての評価点数の和を加算して得られる新たな「Ｓ」は、２２０＋１×１７０であり、算出結果である新たな「Ｓ」は３９０となる。
次に、評価算出部５１２は、選択された服装の全体色についての評価点数の和を算出し、この点数をステップＳ７９で算出された新たな「Ｓ」に加算して、この算出結果を新たな「Ｓ」と置く（ステップＳ８０）。なお、服装の全体色はネイルデザインとの相性を判断する上で影響の大きい評価要素であるため、本実施形態では、服装の全体色についての評価点数の和に２倍の重み付けをして加算する。本実施形態では、服装の全体色として「ピンク３」が選択されており、例えばデザインＮｏ．０００１における服装の全体色「ピンク３」の評価点数は、９０ポイントとなっている（図２８参照）。このため、ここまでの評価点数に服装の全体色についての評価点数の和を加算して得られる新たな「Ｓ」は、３９０＋２×１×９０であり、算出結果である新たな「Ｓ」は５７０となる。
次に、評価算出部５１２は、選択された服装の地色についての評価点数の和を算出し、この点数をステップＳ８０で算出された新たな「Ｓ」に加算して、この算出結果を新たな「Ｓ」と置く（ステップＳ８１）。なお、服装の地色はネイルデザインとの相性を判断する上で比較的影響の小さい評価要素であるため、本実施形態では、服装の地色についての評価点数の和に１/２倍の重み付けをして加算する。本実施形態では、服装の地色として「白」が選択されており、例えばデザインＮｏ．０００１における服装の地色「白」の評価点数は、８０ポイントとなっている（図２８参照）。このため、ここまでの評価点数に服装の地色についての評価点数の和を加算して得られる新たな「Ｓ」は、５７０＋１/２×１×８０であり、算出結果である新たな「Ｓ」は６１０となる。
次に、評価算出部５１２は、選択された服装の柄色１についての評価点数の和を算出し、この点数をステップＳ８１で算出された新たな「Ｓ」に加算して、この算出結果を新たな「Ｓ」と置く（ステップＳ８２）。なお、服装の柄色１はネイルデザインとの相性を判断する上で影響の小さい評価要素であるため、本実施形態では、服装の柄色１についての評価点数の和に１/４倍の重み付けをして加算する。本実施形態では、服装の柄色１として「ピンク３」が選択されており、例えばデザインＮｏ．０００１における服装の柄色１「ピンク３」の評価点数は、７０ポイントとなっている（図２８参照）。このため、ここまでの評価点数に服装の柄色１についての評価点数の和を加算して得られる新たな「Ｓ」は、６１０＋１/４×１×７０であり、算出結果である新たな「Ｓ」は６２７．５となる。
同様に、評価算出部５１２は、選択された服装の柄色２についての評価点数の和を算出し、この点数をステップＳ８２で算出された新たな「Ｓ」に加算して、この算出結果を新たな「Ｓ」と置く（ステップＳ８３）。なお、服装の柄色２もネイルデザインとの相性を判断する上で影響の小さい評価要素であるため、本実施形態では、服装の柄色２についてもその評価点数の和に１/４倍の重み付けをして加算する。本実施形態では、服装の柄色２として「茶」が選択されており、例えばデザインＮｏ．０００１における服装の柄色２「茶」の評価点数は、６０ポイントとなっている（図２８参照）。このため、ここまでの評価点数に服装の柄色２についての評価点数の和を加算して得られる新たな「Ｓ」は、６２７．５＋１/４×１×６０であり、算出結果である新たな「Ｓ」は６４２．５となる。
同様に、評価算出部５１２は、選択された服装の柄色３についての評価点数の和を算出し、この点数をステップＳ８３で算出された新たな「Ｓ」に加算して、この算出結果を新たな「Ｓ」と置く（ステップＳ８４）。なお、服装の柄色３もネイルデザインとの相性を判断する上で影響の小さい評価要素であるため、本実施形態では、服装の柄色３についてもその評価点数の和に１/４倍の重み付けをして加算する。なお、本実施形態では、服装の柄色３が指定されていないため、加算される点数はなく、「Ｓ」は６４２．５のままとなる。
【００７７】
次に、評価算出部５１２は、ユーザによって指定されたファッションアイテムの数である「Ｎ」の値を「Ｎ-１」として、これを新たな「Ｎ」と置く（ステップＳ８５）。そして、この新たな「Ｎ」の値が「０」となったか否かを判断する（ステップＳ８６）。
新たな「Ｎ」の値が「０」となっていないと判断した場合（ステップＳ８６；ＮＯ）には、ステップＳ７３に戻り、まだ色や柄等について評価点数の算出を行っていないファッションアイテムについて、同様に評価点数の算出処理を行う。
【００７８】
他方、新たな「Ｎ」の値が「０」となったと判断した場合（ステップＳ８６；ＹＥＳ）には、評価算出部５１２は、選択された靴の種類についての評価点数の和を算出し、この点数をステップＳ８４で算出された新たな「Ｓ」に加算して、この算出結果を新たな「Ｓ」と置く（ステップＳ８７）。なお、靴の種類もネイルデザインとの相性を判断する上で影響の小さい評価要素であるため、本実施形態では、靴の種類についてもその評価点数の和に１/４倍の重み付けをして加算する。本実施形態では、靴の種類として「ブーティ」が選択されており、例えばデザインＮｏ．０００１における靴の種類「ブーティ」の評価点数は、７０ポイントとなっている（図２８参照）。このため、ここまでの評価点数に靴の種類についての評価点数の和を加算して得られる新たな「Ｓ」は、６４２．５＋１/４×１×７０であり、算出結果である新たな「Ｓ」は６６０となる。
次に、評価算出部５１２は、選択された靴の色についての評価点数の和を算出し、この点数をステップＳ８７で算出された新たな「Ｓ」に加算して、この算出結果を新たな「Ｓ」と置く（ステップＳ８８）。なお、靴の色もネイルデザインとの相性を判断する上で影響の小さい評価要素であるため、本実施形態では、靴の色についてもその評価点数の和に１/４倍の重み付けをして加算する。本実施形態では、靴の色として「樺色」が選択されており、例えばデザインＮｏ．０００１における靴の色「樺色」の評価点数は、７０ポイントとなっている（図２８参照）。このため、ここまでの評価点数に靴の色についての評価点数の和を加算して得られる新たな「Ｓ」は、６６０＋１/４×１×７０であり、算出結果である新たな「Ｓ」は６７７．５となる。
【００７９】
次に、評価算出部５１２は、選択された鞄の種類についての評価点数の和を算出し、この点数をステップＳ８８で算出された新たな「Ｓ」に加算して、この算出結果を新たな「Ｓ」と置く（ステップＳ８９）。なお、鞄の種類はネイルデザインとの相性を判断する上で比較的影響の小さい評価要素であるため、本実施形態では、鞄の種類についてその評価点数の和に１/２倍の重み付けをして加算する。本実施形態では、鞄の種類として「トート」が選択されており、例えばデザインＮｏ．０００１における鞄の種類「トート」の評価点数は、８０ポイントとなっている（図２８参照）。このため、ここまでの評価点数に鞄の種類についての評価点数の和を加算して得られる新たな「Ｓ」は、６７７．５＋１/２×１×８０であり、算出結果である新たな「Ｓ」は７１７．５となる。
次に、評価算出部５１２は、選択された鞄の色についての評価点数の和を算出し、この点数をステップＳ８９で算出された新たな「Ｓ」に加算して、この算出結果を新たな「Ｓ」と置く（ステップＳ９０）。なお、鞄の色もネイルデザインとの相性を判断する上で比較的影響の小さい評価要素であるため、本実施形態では、鞄の色についてもその評価点数の和に１/２倍の重み付けをして加算する。本実施形態では、鞄の色として「ベージュ」及び「白」が選択されており、例えばデザインＮｏ．０００１における鞄の色「ベージュ」の評価点数は９０ポイント、「白」の評価点数は９０ポイントとなっている（図２８参照）。このため、ここまでの評価点数に鞄の色についての評価点数の和を加算して得られる新たな「Ｓ」は、７１７．５＋１/２×１×１８０であり、算出結果である新たな「Ｓ」は８０７．５となる。
【００８０】
次に、評価算出部５１２は、選択されたタイプ・印象についての評価点数の和を算出し、この点数をステップＳ９０で算出された新たな「Ｓ」に加算して、この算出結果を新たな「Ｓ」と置く（ステップＳ９１）。例えば本実施形態ではタイプ・印象として「フェミニン」「ロマンティック」が選択されており、例えばデザインＮｏ．０００１におけるタイプ・印象の評価点数は、「フェミニン」が１００ポイント、「ロマンティック」が７０ポイントとなっている（図２８参照）。このため、ここまでの評価点数にタイプ・印象についての評価点数の和を加算して得られる新たな「Ｓ」は、８０７．５＋１７０であり、算出結果である新たな「Ｓ」は９７７．５となる。
次に、評価算出部５１２は、選択された見た目年齢・シーン・対象についての評価点数の和を算出し、この点数をステップＳ９１で算出された新たな「Ｓ」に加算して、この算出結果を新たな「Ｓ」と置く（ステップＳ９２）。例えば本実施形態では見た目年齢が「１６〜２５」・シーン・対象として「デート」「春」「３０代」「男性」が選択されており、例えばデザインＮｏ．０００１における見た目年齢・シーン・対象の評価点数は、見た目年齢「１６〜２５」が９０ポイント、「デート」が９０ポイント、「春」が１００ポイント、「３０代」が９０ポイント、「男性」が８０ポイントとなっている（図２８参照）。このため、ここまでの評価点数にタイプ・印象についての評価点数の和を加算して得られる新たな「Ｓ」は、９７７．５＋４５０であり、算出結果である新たな「Ｓ」は１４２７．５となる。
【００８１】
評価算出部５１２は、同様の算出処理を全てのネイルデザインについて行い、その算出結果を順次ＲＡＭ５３の評価結果データ部５３ａに記憶させる。
順位決定部５１３は、評価算出部５１２により各ネイルデザインについての評価点数の合計である評価結果が算出されると、評価結果データ部５３ａに既に記憶されている他のネイルデザインについての評価結果と新たに取得された評価結果との比較を行い、点数（ポイント）の高いものから順に暫定的な順位を決定していく。このとき、一定の順位以下となったネイルデザインについては評価結果を評価結果データ部５３ａから消去してもよい。
【００８２】
図１３に戻り、全てのネイルデザインについての評価結果の算出と順位の決定が終了すると、制御部５１（表示制御部５１５）は、表示部１３に評価結果画面１４３（図２９、図３０参照）を表示させる（ステップＳ５７）。
図２９及び図３０に示すように、本実施形態において、評価結果画面１４３には、順位決定部５１３によって高順位とされたネイルデザインが６個ずつ、順位、デザイン番号、コメントとともに表示される。ユーザは評価結果画面１４３において好みのネイルデザインにタッチすることによりネイルデザインを選択することができる。また、ネイルデザインが１つのが表示画面内に収まらない場合には、次行ボタン１６５、前行ボタン１６６を操作することにより画面をスクロールさせることができる。制御部５１は、この評価結果画面１４３において戻るボタン１６１が操作されたか否かを判断する（ステップＳ５８）。戻るボタン１６１が操作されたと判断した場合（ステップＳ５８；ＹＥＳ）には、ステップＳ５３に戻って直前の表示画面である第７の項目設定画面１４２を表示部１３に表示させる。
他方、戻るボタン１６１が操作されていないと判断した場合（ステップＳ５８；ＮＯ）には、制御部５１は、評価結果画面１４３においてネイルデザインが１つ以上選択されたか否かを判断する（ステップＳ５９）。ネイルデザインが１つ以上選択されたと判断した場合（ステップＳ５９；ＹＥＳ）には、さらに評価結果画面１４３においてネイルデザインが２つ以上選択されたか否かを判断する（ステップＳ６０）。ネイルデザインが２つ以上選択されていないと判断した場合（ステップＳ６０；ＮＯ）には、評価結果画面１４３において決定ボタン１６７が操作されたか否かを判断する（ステップＳ６１）。決定ボタン１６７が操作されていないと判断した場合（ステップＳ６１；ＮＯ）やネイルデザインが１つも選択されていないと判断した場合（ステップＳ５９；ＮＯ）にはステップＳ５７に戻って処理を繰り返す。また、ネイルデザインが１つ選択されるとともに決定ボタン１６７が操作されたと判断した場合（ステップＳ６１；ＹＥＳ）には、当該ネイルデザインが爪部に印刷すべきネイルデザインとして選択され、図１４のステップＳ６８に示すように、当該ネイルデザインを親指から小指まで５指に施した場合のイメージを示すデザイン確認画面１４５（図３２参照）が表示部１３に表示される。
【００８３】
また、ネイルデザインが２つ以上選択されたと判断した場合（ステップＳ６０；ＹＥＳ）には、評価結果画面１４３において絞込ボタン１６４を表示させ、決定ボタン１６７を非表示とする（ステップＳ６２）。そして、この場合には、図１４に示すように、制御部５１は、評価結果画面１４３において絞込ボタン１６４が操作されたか否かを判断する（ステップＳ６３）。絞込ボタン１６４が操作されていないと判断した場合（ステップＳ６３；ＮＯ）には、ステップＳ５７に戻って処理を繰り返す。他方、絞込ボタン１６４が操作されたと判断した場合（ステップＳ６３；ＹＥＳ）には、デザイン選択画面１４４（図３１参照）を表示部１３に表示させる（ステップＳ６４）。デザイン選択画面１４４には、評価結果画面１４３においてユーザが選択したネイルデザインのみが表示されており、ユーザはこの中から好みのネイルデザインにタッチすることによりネイルデザインを１つ選択することができる。選択されたネイルデザインは表示画面上で反転表示される。図３１に示すように、本実施形態では、絞込みの結果、デザインＮｏ．０２５１、デザインＮｏ．０００１、デザインＮｏ．０００３、デザインＮｏ．０１７１の４つのネイルデザインがデザイン選択画面１４４に表示されており、この中からユーザがデザインＮｏ．０００１のネイルデザインを選択した場合を例として示している。
【００８４】
デザイン選択画面１４４が表示部１３に表示された際、制御部５１は、このデザイン選択画面１４４において戻るボタン１６１が操作されたか否かを判断する（ステップＳ６５）。戻るボタン１６１が操作されたと判断した場合（ステップＳ６５；ＹＥＳ）には、ステップＳ５７に戻って評価結果画面１４３を表示部１３に表示させる。他方、戻るボタン１６１が操作されていないと判断した場合（ステップＳ６５；ＮＯ）には、制御部５１は、デザイン選択画面１４４においてネイルデザインが１つ選択されたか否かを判断する（ステップＳ６６）。ネイルデザインが１つも選択されていないと判断される場合（ステップＳ６６；ＮＯ）には、ステップＳ６４に戻って処理を繰り返す。他方、ネイルデザインが１つ選択されたと判断した場合（ステップＳ６６；ＹＥＳ）には、制御部５１は、決定ボタン１６７が操作されたか否かを判断する（ステップＳ６７）。決定ボタン１６７が操作されていないと判断される場合（ステップＳ６８；ＮＯ）には、ステップＳ６４に戻って処理を繰り返す。他方、決定ボタン１６７が操作されたと判断される場合（ステップＳ６７；ＹＥＳ）には、当該ネイルデザインが爪部に印刷すべきネイルデザインとして選択され、デザイン確認画面１４５（図３２参照）が表示部１３に表示される（ステップＳ６８）。
図３２に示すように、デザイン確認画面１４５には、当該ネイルデザインを親指から小指まで５指に施した場合のイメージが表示される。デザイン確認画面１４５が表示されると、制御部５１は確認決定ボタン１６８が操作されたか否かを判断し（ステップＳ６９）、確認決定ボタン１６８が操作されたと判断すると（ステップＳ６９；ＹＥＳ）、当該ネイルデザインをユーザの爪部に印刷するデザインとして決定し、処理を終了する。他方、確認決定ボタン１６８が操作されていないと判断すると（ステップＳ６９；ＮＯ）、ステップＳ６８に戻って処理を繰り返す。なお、デザイン確認画面１４５において戻るボタン１６１が操作された場合には、１つ前の画面であるデザイン選択画面１４４を表示部１３に表示させ、以降の処理を繰り返す。
【００８５】
以上のように、本実施形態におけるネイルプリント装置１によれば、次のような効果が得られる。
すなわち、本実施形態では、表示部１３に表示された複数のファッション関連項目の中から、ユーザが外出する際の服装の種類、色、柄や、靴や鞄の種類や色、ユーザ自身の見た目年齢、外出先のシチュエーションや季節、会いに行く相手の年齢、性別等について、任意のファッション関連項目を指定するだけで、複数のネイルデザインの中から指定されたファッション関連項目と相性のよいネイルデザインを抽出するネイルコンシェルジュモードをネイルデザイン選択モードとして備えており、このネイルコンシェルジュモードにより抽出されたネイルデザインを相性度の高い順に表示部１３に表示させることができるようになっている。このため、外出する際の服装等のファッションにどのようなネイルデザインが似合うのかをユーザが判断することができない場合でも、候補となるネイルデザインをユーザに提示することができ、服装等にふさわしいネイルデザインをユーザが表示部１３上で容易に、かつ迅速・確実に確認することができる。これにより、服装等に合わせたネイルデザインのコーディネートを誰でも手軽に楽しむことができる。
また、ネイルデザインの数が多く記憶されていても、ユーザ自身でネイルデザインを選択すると、いつも同じようなデザインを選びがちになるおそれがあるが、本実施形態におけるネイルコンシェルジュモードを適用することにより、様々な項目、要素を加味して全てのネイルデザインについて服装等との相性度を客観的に判断し、服装等にふさわしいネイルデザインを提案してもらえるため、様々なネイルデザインを試みる楽しさを味わうことができ、ネイルプリント装置１を飽きずに使い続けることができる。
また、本実施形態におけるネイルコンシェルジュモードは、各ファッション関連項目について、各ネイルデザインとの相性度を評価点数（評価数値データ）の形で記憶しているため、ネイルデザインとの相性度をより詳細に評価できるように多くの項目についてデータを持つようにしても、データ量が少なくて済む。このため、メモリ容量を増やすことなく、ネイルデザインと服装等との相性度を多くの要素を考慮して細かく正確に評価することができる。
また、本実施形態では、表示部に表示させてユーザに提案するネイルデザインを選択するネイルデザインの選択モードとしてネイルカタログモードとネイルコンシェルジュモードの２つを備えているため、ユーザがその日の気分やニーズに合わせて使い分けることができる。このため、飽きずにネイルプリント装置１を楽しむことができる。
また、ネイルコンシェルジュモードにおいて、ネイルデザイン選択の考慮要素となるファッション関連項目は、少なくとも複数のファッションアイテム（すなわち服装の種類）項目及びこれらのファッションアイテムの色を含む複数のアイテム関連項目を含んでいる。このため、ネイルデザインとの相性度、爪を含めたトータルコーディネートに最も影響の大きい服装等を考慮したネイルデザインの選択を行うことができ、服装等とネイルデザインとのコーディネートを簡易に楽しむことができる。
また、ＲＯＭ５２には、各ネイルデザイン毎にこれと対応するコメントデータが記憶されており、服装等との相性のよいネイルデザインを表示部１３に表示させてユーザに提案する際に、各ネイルデザインに対応付けられたコメントデータがネイルデザインとともに表示される。このため、ユーザはネイルデザインのイメージを容易に把握することができ、より適切に自爪に施すネイルデザインを決めることができる。
【００８６】
なお、以上本発明の実施形態について説明したが、本発明は、かかる実施形態に限定されず、その要旨を逸脱しない範囲で、種々変形が可能であることは言うまでもない。
【００８７】
例えば、本実施形態では、表示部に表示させてユーザに提案するネイルデザインを選択するネイルデザインの選択モードとしてネイルカタログモードとネイルコンシェルジュモードの２つを備えている場合を例としたが、ネイルデザインの選択モードとしてネイルコンシェルジュモードのみを備えるものでもよい。
【００８８】
また、ネイルコンシェルジュモードにおいて考慮される項目、要素は、本実施形態で挙げたものに限定されず、適宜変更が可能である。例えば、ネックレスや指輪等の装身具を項目として加えてもよい。また、シーンの項目に「時間帯」や「営業」「受付」「アパレル」等の職種の項目を加えてもよい。
【００８９】
また、本実施形態では、服装の種類等については多くのポイントが加算され、靴や鞄については加算されるポイントが少なくなるように重み付けを行っているが、重み付けの仕方はここに例示したものに限定されない。
また、重み付けをせずに単に点数を加算することにより評価結果を算出してもよい。
【００９０】
また、評価算出部５１２による評価算出の際に、全てのネイルデザインについて同じように全ての評価算出処理を行う場合について説明したが、ネイルデザインの数が非常に多い場合には、予め所定の項目について閾値を定めて計算を行い、一定値以下の点数となったネイルデザインについては、他の項目についての計算を行わずに評価対象から除外する等してもよい。
また、本実施形態では、各項目ごとにポイントを算出する場合について説明したが、所定の項目については予めグループ分けをした上でそのグループ内のみで計算を行う等してもよい。
【００９１】
また、ユーザによって最終的に選択されたネイルデザインや、評価結果が良好だったネイルデザインについては、そのデザイン番号等をＲＡＭ５３等に記憶させてもよい。このようにした場合には、ネイルコンシェルジュモード等によって選択され提案されたネイルデザインを後日爪部に印刷したい場合に、再度項目の選択等を行うことなく簡易迅速にネイルデザインの印刷を行うことができる。
【００９２】
また、例えば自分の年齢や職種等の項目については、一旦項目の選択を行うとＲＡＭ５３等に登録されるようにしてもよい。このようにすることにより、次回からは選択する項目数を少なくしてより迅速にネイルデザインの選択、提案を行うことができる。
【００９３】
また、本実施形態では、第１の記憶手段がＲＯＭ５２であり、第２の記憶手段がＲＡＭ５３である場合について説明したが、第１の記憶手段、第２の記憶手段は、ＲＯＭ５２、ＲＡＭ５３に限定されず、別途記憶手段を備えていてもよい。
【００９４】
また、本実施形態では、ネイルデザイン表示制御装置が、印刷部等を備え、選択されたネイルデザインをユーザの爪部に印刷することのできるネイルプリント装置である場合を例として説明したが、本発明を適用可能なネイルデザイン表示制御装置はこのようなネイルプリント装置に限定されず、例えば印刷部４０等を備えず、ネイルデザインを表示部１３に表示させる表示装置でもよい。さらに、インターネット上でのネイルデザイン検索や、ネイルデザインデータを販売するシステム等に本実施形態に例示したネイルコンシェルジュモードによるネイルデザイン選択を適用してもよい。
【００９５】
また、本実施形態では、ネイルデザイン表示制御装置であるネイルプリント装置が、ユーザの爪部に印刷を行うものである場合を例示したが、ネイルプリント装置は爪部に印刷するものに限定されない。例えば、ネイルデザイン表示制御装置は、ネイルチップ（付け爪）やネイルチップに加工可能なシート等にネイルデザインを印刷する装置であってもよいし、ユーザの爪部及びネイルチップ等のいずれに対しても印刷可能な装置であってもよい。
【００９６】
その他、本発明が本実施形態に限定されず、適宜変更可能であることはいうまでもない。
【００９７】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数のネイルデザインを、複数のファッション関連項目に対する各ネイルデザインの相性度を示す評価数値データと対応付けて記憶している第１の記憶手段と、
前記複数のファッション関連項目を表示手段に表示させる第１の表示制御手段と、
前記表示手段に表示された前記複数のファッション関連項目の中から１又は複数のファッション関連項目を指定する項目指定手段と、
前記第１の記憶手段に記憶されている前記各ネイルデザインについて、前記項目指定手段によって指定されたファッション関連項目毎の前記評価数値データを読み出して加算し、前記各ネイルデザイン毎の評価結果を算出する評価算出手段と、
この評価算出手段により算出された評価結果を記憶する第２の記憶手段と、
この第２の記憶手段に記憶された前記各ネイルデザイン毎の評価結果を比較して、前記各ネイルデザインの順位付けを行う順位決定手段と、
この順位決定手段により行われた順位付けにしたがって、順位の高い順に前記ネイルデザインを少なくとも１つ前記表示手段に表示させる第２の表示制御手段と、
を備えていることを特徴とするネイルデザイン表示制御装置。
＜請求項２＞
前記複数のファッション関連項目は、少なくとも複数のファッションアイテム項目及びこれらのファッションアイテムの色を含む複数のアイテム関連項目を含んでいることを特徴とする請求項１に記載のネイルデザイン表示制御装置。
＜請求項３＞
前記第１の記憶手段は、前記各ネイルデザイン毎にこれと対応するコメントデータを記憶しており、
前記第２の表示制御手段は、前記ネイルデザインを前記表示手段に表示させる際に、前記第１の記憶手段に記憶されている前記各ネイルデザインに対応付けられた前記コメントデータを前記ネイルデザインとともに表示させることを特徴とする請求項１又は請求項２に記載のネイルデザイン表示制御装置。
＜請求項４＞
複数のネイルデザインを、複数のファッション関連項目に対する各ネイルデザインの相性度を示す評価数値データと対応付けて記憶している第１の記憶手段を備え、前記各ネイルデザインの中からいずれかのネイルデザインを選んで表示手段に表示させるネイルデザイン表示制御装置の表示制御方法であって、
複数のファッション関連項目を表示手段に表示させる第１の表示制御ステップと、
前記第１の表示ステップにおいて前記表示手段に表示された前記複数のファッション関連項目の中から１又は複数のファッション関連項目が指定されると、前記第１の記憶手段に記憶されている前記各ネイルデザインについて、この指定されたファッション関連項目毎の前記評価数値データを読み出して加算し、前記各ネイルデザイン毎の評価結果を算出する評価算出ステップと、
この評価算出ステップにおいて算出された評価結果を記憶する評価結果記憶ステップと、
この評価結果記憶ステップにおいて記憶された前記各ネイルデザイン毎の評価結果を比較して、前記各ネイルデザインの順位付けを行う順位決定ステップと、
この順位決定ステップにおいて行われた順位付けにしたがって、順位の高い順に前記ネイルデザインを少なくとも１つ前記表示手段に表示させる第２の表示制御ステップと、
を含んでいることを特徴とする表示制御方法。
【符号の説明】
【００９８】
１      ネイルプリント装置
１２    操作部
２０    印刷指固定部
３０    撮影部
３２    カメラ
４０    印刷部
５１    制御部
５１１  カタログ検索部
５１２  評価算出部
５１３  順位決定部
５１４  印刷制御部
５１５  表示制御部
Ｔ      爪部
Ｕ１    印刷指
Ｕ２    非印刷指
【図１】
0005375893.tif 000002
【図２】
0005375893.tif 000003
【図３】
0005375893.tif 000004
【図４】
0005375893.tif 000005
【図５】
0005375893.tif 000006
【図６】
0005375893.tif 000007
【図７】
0005375893.tif 000008
【図８】
0005375893.tif 000009
【図９】
0005375893.tif 000010
【図１０】
0005375893.tif 000011
【図１１】
0005375893.tif 000012
【図１２】
0005375893.tif 000013
【図１３】
0005375893.tif 000014
【図１４】
0005375893.tif 000015
【図１５】
0005375893.tif 000016
【図１６】
0005375893.tif 000017
【図１７】
0005375893.tif 000018
【図１８】
0005375893.tif 000019
【図１９】
0005375893.tif 000020
【図２０】
0005375893.tif 000021
【図２１】
0005375893.tif 000022
【図２２】
0005375893.tif 000023
【図２３】
0005375893.tif 000024
【図２４】
0005375893.tif 000025
【図２５】
0005375893.tif 000026
【図２６】
0005375893.tif 000027
【図２７】
0005375893.tif 000028
【図２８】
0005375893.tif 000029
【図２９】
0005375893.tif 000030
【図３０】
0005375893.tif 000031
【図３１】
0005375893.tif 000032
【図３２】
0005375893.tif 000033